(57)【特許請求の範囲】
【請求項１】
無線ＬＡＮにおいて無線リソースを割り当てる方法であって、前記方法は、
ＡＰ（ａｃｃｅｓｓ  ｐｏｉｎｔ）が、帯域幅上での通信のための無線リソースをスケジューリングすることと、
前記ＡＰが、前記無線リソースを介してダウンリンク（ＤＬ）データを送信することと
を含み、
前記無線リソースは、前記帯域幅の大きさによる基本リソース割当単位に基づいて決定され、
前記基本リソース割当単位は、２４２トーンを有し、
前記無線リソースの全体可用なトーンは、前記帯域幅の大きさによる前記２４２トーンの倍数であり、
前記帯域幅の大きさが２０ＭＨｚであり、且つ、前記基本リソース割当が分割されない場合、前記全体可用なトーンの数は、２４２トーンに設定され、前記基本リソース割当単位は、単一のＳＴＡ（ｓｔａｔｉｏｎ）に割り当てられ、
前記帯域幅の大きさが２０ＭＨｚであり、且つ、前記基本リソース割当単位が９個のＳＴＵ（ｓｍａｌｌ  ｔｏｎｅ  ｕｎｉｔ）に分割される場合、前記２４２トーンは、９個のＳＴＵに分割され、各ＳＴＵは、２６トーンを有する、方法。
【請求項２】
前記帯域幅の大きさが４０ＭＨｚである場合、前記全体可用なトーンの個数は、４８４トーンに設定される、請求項１に記載の方法。
【請求項３】
前記帯域幅の大きさが２０ＭＨｚであり、且つ、前記基本リソース割当単位が９個のＳＴＵに分割される場合、前記２４２トーンのうちの残りの８トーンは、ユーザ割当分離のために使用されるレフトオーバートーン、又は、ガードトーンである、請求項１に記載の方法。
【請求項４】
前記帯域幅の大きさが２０ＭＨｚであり、且つ、前記基本リソース割当単位が前記単一のＳＴＡに割り当てられる場合、前記２４２トーンのうちの８トーンは、パイロットトーンである、請求項１に記載の方法。
【請求項５】
前記ＤＬデータは、ＰＰＤＵ（ｐｈｙｓｉｃａｌ  ｌａｙｅｒ  ｐｒｏｔｏｃｏｌ  ｄａｔａ  ｕｎｉｔ）内に含まれ、前記基本リソース割当単位及び前記ＳＴＵ上の割当情報は、前記ＰＰＤＵのＰＰＤＵヘッダに含まれる、請求項１に記載の方法。
【請求項６】
無線ＬＡＮにおいて無線リソースを割り当てるＡＰ（ａｃｃｅｓｓ  ｐｏｉｎｔ）であって、前記ＡＰは、
無線信号を送信及び受信するＲＦ（ｒａｄｉｏ  ｆｒｅｑｕｅｎｃｙ）部と、
前記ＲＦ部と動作可能なように（ｏｐｅｒａｔｉｖｅｌｙ）結合されたプロセッサと
を含み、
前記プロセッサは、帯域幅上での通信のための無線リソースをスケジューリングすることと、前記無線リソースを介してダウンリンク（ＤＬ）データを送信することとを実行するように実装され、
前記無線リソースは、前記帯域幅の大きさによる基本リソース割当単位に基づいて決定され、
前記基本リソース割当単位は、２４２トーンを有し、
前記無線リソースの全体可用なトーンは、前記帯域幅の大きさによる前記２４２トーンの倍数であり、
前記帯域幅の大きさが２０ＭＨｚであり、且つ、前記基本リソース割当が分割されない場合、前記全体可用なトーンの数は、２４２トーンに設定され、前記基本リソース割当単位は、単一のＳＴＡ（ｓｔａｔｉｏｎ）に割り当てられ、
前記帯域幅の大きさが２０ＭＨｚであり、且つ、前記基本リソース割当単位が９個のＳＴＵ（ｓｍａｌｌ  ｔｏｎｅ  ｕｎｉｔ）に分割される場合、前記２４２トーンは、９個のＳＴＵに分割され、各ＳＴＵは、２６トーンを有する、ＡＰ。
【請求項７】
前記帯域幅の大きさが４０ＭＨｚである場合、前記全体可用なトーンの個数は、４８４トーンに設定される、請求項６に記載のＡＰ。
【請求項８】
前記帯域幅の大きさが２０ＭＨｚであり、且つ、前記基本リソース割当単位が９個のＳＴＵに分割される場合、前記２４２トーンのうちの残りの８トーンは、ユーザ割当分離のために使用されるレフトオーバートーン、又は、ガードトーンである、請求項６に記載のＡＰ。
【請求項９】
前記帯域幅の大きさが２０ＭＨｚであり、且つ、前記基本リソース割当単位が前記単一のＳＴＡに割り当てられる場合、前記２４２トーンのうちの８トーンは、パイロットトーンである、請求項６に記載のＡＰ。
【請求項１０】
前記ＤＬデータは、ＰＰＤＵ（ｐｈｙｓｉｃａｌ  ｌａｙｅｒ  ｐｒｏｔｏｃｏｌ  ｄａｔａ  ｕｎｉｔ）内に含まれ、前記基本リソース割当単位及び前記ＳＴＵ上の割当情報は、前記ＰＰＤＵのＰＰＤＵヘッダに含まれる、請求項６に記載のＡＰ。
【発明の詳細な説明】
【技術分野】
【０００１】
本発明は、無線通信に関し、より詳しくは、無線ＬＡＮにおけるリソース単位を割り当てる方法及び装置に関する。
【背景技術】
【０００２】
次世代ＷＬＡＮ（ｗｉｒｅｌｅｓｓ  ｌｏｃａｌ  ａｒｅａ  ｎｅｔｗｏｒｋ）のための議論が進行している。次世代ＷＬＡＮでは、１）２．４ＧＨｚ及び５ＧＨｚ帯域でＩＥＥＥ（ｉｎｓｔｉｔｕｔｅ  ｏｆ  ｅｌｅｃｔｒｏｎｉｃ  ａｎｄ  ｅｌｅｃｔｒｏｎｉｃｓ  ｅｎｇｉｎｅｅｒｓ）８０２．１１ＰＨＹ（ｐｈｙｓｉｃａｌ）階層とＭＡＣ（ｍｅｄｉｕｍ  ａｃｃｅｓｓ  ｃｏｎｔｒｏｌ）階層の向上、２）スペクトラム効率性（ｓｐｅｃｔｒｕｍ  ｅｆｆｉｃｉｅｎｃｙ）と領域スループット（ａｒｅａ  ｔｈｒｏｕｇｈｐｕｔ）を高めること、３）干渉ソースが存在する環境、密集した異種ネットワーク（ｈｅｔｅｒｏｇｅｎｅｏｕｓ  ｎｅｔｗｏｒｋ）環境及び高いユーザ負荷が存在する環境のような実際室内環境及び室外環境で性能を向上させることを目標とする。
【０００３】
次世代ＷＬＡＮで主に考慮される環境は、ＡＰ（ａｃｃｅｓｓ  ｐｏｉｎｔ）とＳＴＡ（ｓｔａｔｉｏｎ）が多い密集環境であり、このような密集環境でスペクトラム効率（ｓｐｅｃｔｒｕｍ  ｅｆｆｉｃｉｅｎｃｙ）と空間スループット（ａｒｅａ  ｔｈｒｏｕｇｈｐｕｔ）に対する改善が論議される。また、次世代ＷＬＡＮでは室内環境だけでなく、既存ＷＬＡＮであまり考慮されていなかった室外環境での実質的な性能改善に関心を有する。
【０００４】
具体的に、次世代ＷＬＡＮでは無線オフィス（ｗｉｒｅｌｅｓｓ  ｏｆｆｉｃｅ）、スマートホーム（ｓｍａｒｔ  ｈｏｍｅ）、スタジアム（Ｓｔａｄｉｕｍ）、ホットスポット（Ｈｏｔｓｐｏｔ）、ビル／アパート（ｂｕｉｌｄｉｎｇ／ａｐａｒｔｍｅｎｔ）のようなシナリオに関心が大きくて、該当シナリオに基づいてＡＰとＳＴＡが多い密集環境でのシステム性能向上に対する議論が進行している。
【０００５】
また、次世代ＷＬＡＮでは一つのＢＳＳ（ｂａｓｉｃ  ｓｅｒｖｉｃｅ  ｓｅｔ）での単一リンク性能向上よりは、ＯＢＳＳ（ｏｖｅｒｌａｐｐｉｎｇ  ｂａｓｉｃ  ｓｅｒｖｉｃｅ  ｓｅｔ）環境でのシステム性能向上及び室外環境性能改善、そしてセルラーオフローディングなどに対する議論が活発になると予想される。このような次世代ＷＬＡＮの方向性は、次世代ＷＬＡＮが益々移動通信と類似の技術範囲を有するようになることを意味する。最近、スモールセル及びＤ２Ｄ（Ｄｉｒｅｃｔ−ｔｏ−Ｄｉｒｅｃｔ）通信領域で移動通信とＷＬＡＮ技術が共に論議されている状況を考慮してみる時、次世代ＷＬＡＮと移動通信の技術的及び事業的な融合は、一層活発になると予測される。
【発明の概要】
【発明が解決しようとする課題】
【０００６】
本発明の目的は、無線ＬＡＮにおけるリソース単位を割り当てる方法を提供することにある。
【０００７】
本発明の他の目的は、無線ＬＡＮにおけるリソース単位を割り当てる装置を提供することにある。
【課題を解決するための手段】
【０００８】
前述した本発明の目的を達成するための本発明の一側面による、無線ＬＡＮにおける無線リソースを割り当てる方法は、ＡＰ（ａｃｃｅｓｓ  ｐｏｉｎｔ）が帯域幅上でＳＴＡ（ｓｔａｔｉｏｎ）と通信のための無線リソースをスケジューリングするステップ、前記ＡＰが前記無線リソースを介して前記ＳＴＡにダウンリンクデータを送信するステップを含み、前記無線リソースは、前記帯域幅の大きさによるリソース割当組み合わせに基づいて決定され、前記リソース割当組み合わせは、前記帯域幅の大きさによる全体可用なトーン上で割当可能な少なくとも一つのリソース単位の組み合わせであり、前記全体可用なトーンは、前記帯域幅の大きさによる２４２トーンの倍数である。
【０００９】
前述した本発明の目的を達成するための本発明の他の側面による、無線ＬＡＮにおける無線リソースを割り当てるＡＰ（ａｃｃｅｓｓ  ｐｏｉｎｔ）は、無線信号を送信及び受信するＲＦ（ｒａｄｉｏ  ｆｒｅｑｕｅｎｃｙ）部及び前記ＲＦ部と動作可能なように（ｏｐｅｒａｔｉｖｅｌｙ）結合されたプロセッサを含み、前記プロセッサは、帯域幅上でＳＴＡ（ｓｔａｔｉｏｎ）と通信のための無線リソースをスケジューリングし、前記無線リソースを介して前記ＳＴＡにダウンリンクデータを送信するように具現され、前記無線リソースは、前記帯域幅の大きさによるリソース割当組み合わせに基づいて決定され、前記リソース割当組み合わせは、前記帯域幅の大きさによる全体可用なトーン上で割当可能な少なくとも一つのリソース単位の組み合わせであり、前記全体可用なトーンは、前記帯域幅の大きさによる２４２トーンの倍数である。
本発明は、例えば、以下を提供する。
（項目１）
無線ＬＡＮにおける無線リソースを割り当てる方法は、
ＡＰ（ａｃｃｅｓｓ  ｐｏｉｎｔ）が帯域幅上でＳＴＡ（ｓｔａｔｉｏｎ）と通信のための無線リソースをスケジューリングするステップ；
前記ＡＰが前記無線リソースを介して前記ＳＴＡにダウンリンクデータを送信するステップ；を含み、
前記無線リソースは、前記帯域幅の大きさによるリソース割当組み合わせに基づいて決定され、
前記リソース割当組み合わせは、前記帯域幅の大きさによる全体可用なトーン上で割当可能な少なくとも一つのリソース単位の組み合わせであり、
前記全体可用なトーンは、前記帯域幅の大きさによる２４２トーンの倍数であることを特徴とする方法。
（項目２）
前記帯域幅の大きさが２０ＭＨｚである場合、前記全体可用なトーンの個数は２４２トーンであり、
前記帯域幅の大きさが４０ＭＨｚである場合、前記全体可用なトーンの個数は４８４トーンであることを特徴とする項目１に記載の方法。
（項目３）
前記帯域幅の大きさが２０ＭＨｚであり、且つ前記少なくとも一つのリソース単位のうち第１のリソース単位の大きさが２６トーンである場合、前記リソース割当組み合わせは、２０ＭＨｚ上で割り当てられる９個の前記第１のリソース単位を含むことを特徴とする項目２に記載の方法。
（項目４）
前記帯域幅の大きさが２０ＭＨｚであり、且つ前記少なくとも一つのリソース単位のうち第２のリソース単位の大きさが２４２トーンである場合、前記リソース割当組み合わせは、２０ＭＨｚ上で割り当てられる１個の前記第２のリソース単位を含むことを特徴とする項目３に記載の方法。
（項目５）
前記帯域幅の大きさが４０ＭＨｚであり、且つ前記少なくとも一つの割当可能なリソース単位のうち第３のリソース単位の大きさが４８４トーンである場合、前記リソース割当組み合わせは、４０ＭＨｚ上で割り当てられる１個の前記第３のリソース単位を含むことを特徴とする項目４に記載の方法。
（項目６）
無線ＬＡＮにおける無線リソースを割り当てるＡＰ（ａｃｃｅｓｓ  ｐｏｉｎｔ）において、前記ＡＰは、
無線信号を送信及び受信するＲＦ（ｒａｄｉｏ  ｆｒｅｑｕｅｎｃｙ）部；及び、
前記ＲＦ部と動作可能なように（ｏｐｅｒａｔｉｖｅｌｙ）結合されたプロセッサ；を含み、
前記プロセッサは、帯域幅上でＳＴＡ（ｓｔａｔｉｏｎ）と通信のための無線リソースをスケジューリングし、
前記無線リソースを介して前記ＳＴＡにダウンリンクデータを送信するように具現され、
前記無線リソースは、前記帯域幅の大きさによるリソース割当組み合わせに基づいて決定され、
前記リソース割当組み合わせは、前記帯域幅の大きさによる全体可用なトーン上で割当可能な少なくとも一つのリソース単位の組み合わせであり、
前記全体可用なトーンは、前記帯域幅の大きさによる２４２トーンの倍数であることを特徴とするＡＰ。
（項目７）
前記帯域幅の大きさが２０ＭＨｚである場合、前記全体可用なトーンの個数は２４２トーンであり、
前記帯域幅の大きさが４０ＭＨｚである場合、前記全体可用なトーンの個数は４８４トーンであることを特徴とする項目６に記載のＡＰ。
（項目８）
前記帯域幅の大きさが２０ＭＨｚであり、且つ前記少なくとも一つのリソース単位のうち第１のリソース単位の大きさが２６トーンである場合、前記リソース割当組み合わせは、２０ＭＨｚ上で割り当てられる９個の前記第１のリソース単位を含むことを特徴とする項目７に記載のＡＰ。
（項目９）
前記帯域幅の大きさが２０ＭＨｚであり、且つ前記少なくとも一つのリソース単位のうち第２のリソース単位の大きさが２４２トーンである場合、前記リソース割当組み合わせは、２０ＭＨｚ上で割り当てられる１個の前記第２のリソース単位を含むことを特徴とする項目８に記載のＡＰ。
（項目１０）
前記帯域幅の大きさが４０ＭＨｚであり、且つ前記少なくとも一つの割当可能なリソース単位のうち第３のリソース単位の大きさが４８４トーンである場合、前記リソース割当組み合わせは、４０ＭＨｚ上で割り当てられる１個の前記第３のリソース単位を含むことを特徴とする項目９に記載のＡＰ。
【発明の効果】
【００１０】
ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）に基づいて複数のＳＴＡの各々のためのリソースを割り当てる時、互いに異なる大きさで定義された無線リソース単位を複数のＳＴＡの各々に割り当てることができてスケジューリング柔軟度（ｓｃｈｅｄｕｌｉｎｇ  ｆｌｅｘｉｂｉｌｉｔｙ）が高まって無線ＬＡＮの処理量（ｔｈｒｏｕｇｈｐｕｔ）が増加されることができる。
【図面の簡単な説明】
【００１１】
【図１】無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【図２】本発明の実施例に係るリソース割当方法を示す概念図である。
【図３】本発明の実施例に係る帯域幅上でリソース割当方法を示す概念図である。
【図４】本発明の実施例に係る仮想割当リソース単位を割り当てる方法が開示される。
【図５】本発明の実施例に係る仮想割当リソース単位を割り当てる方法が開示される。
【図６】本発明の実施例に係るリソース割当方法を示す概念図である。
【図７】本発明の実施例に係るリソース割当方法を示す概念図である。
【図８】本発明の実施例に係るリソース割当方法を示す概念図である。
【図９】本発明の実施例に係るリソース割当方法を示す概念図である。
【図１０】本発明の実施例に係るリソース割当方法を示す概念図である。
【図１１】本発明の実施例に係るリソース割当方法を示す概念図である。
【図１２】本発明の実施例に係るＤＬ  ＭＵ  ＰＰＤＵフォーマットを示す概念図である。
【図１３】本発明の実施例に係るＵＬ  ＭＵ  ＰＰＤＵの送信を示す概念図である。
【図１４】本発明の実施例が適用されることができる無線装置を示すブロック図である。
【発明を実施するための形態】
【００１２】
図１は、無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【００１３】
図１の上段は、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のインフラストラクチャＢＳＳ（ｂａｓｉｃ  ｓｅｒｖｉｃｅ  ｓｅｔ）の構造を示す。
【００１４】
図１の上段を参照すると、無線ＬＡＮシステムは、一つまたはそれ以上のインフラストラクチャＢＳＳ１００、１０５（以下、ＢＳＳ）を含むことができる。ＢＳＳ１００、１０５は、成功的に同期化されて互いに通信できるＡＰ（ａｃｃｅｓｓ  ｐｏｉｎｔ）１２５及びＳＴＡ１（Ｓｔａｔｉｏｎ）１００−１のようなＡＰとＳＴＡのセットであり、特定領域を示す概念ではない。ＢＳＳ１０５は、一つのＡＰ１３０に一つ以上の結合可能なＳＴＡ１０５−１、１０５−２を含むこともできる。
【００１５】
ＢＳＳは、少なくとも１個のＳＴＡ、分散サービス（Ｄｉｓｔｒｉｂｕｔｉｏｎ  Ｓｅｒｖｉｃｅ）を提供するＡＰ１２５、１３０及び複数のＡＰを連結させる分散システム（Ｄｉｓｔｒｉｂｕｔｉｏｎ  Ｓｙｓｔｅｍ、ＤＳ）１１０を含むことができる。
【００１６】
分散システム１１０は、複数のＢＳＳ１００、１０５を連結して拡張されたサービスセットであるＥＳＳ（ｅｘｔｅｎｄｅｄ  ｓｅｒｖｉｃｅ  ｓｅｔ）１４０を具現することができる。ＥＳＳ１４０は、一つまたは複数個のＡＰ１２５、２３０が分散システム１１０を介して連結されて構成された一つのネットワークを指示する用語として使われることができる。一つのＥＳＳ１４０に含まれるＡＰは、同じＳＳＩＤ（ｓｅｒｖｉｃｅ  ｓｅｔ  ｉｄｅｎｔｉｆｉｃａｔｉｏｎ）を有することができる。
【００１７】
ポータル（ｐｏｒｔａｌ）１２０は、無線ＬＡＮネットワーク（ＩＥＥＥ８０２．１１）と他のネットワーク（例えば、８０２．Ｘ）との連結を実行するブリッジ役割を遂行することができる。
【００１８】
図１の上段のようなＢＳＳでは、ＡＰ１２５、１３０間のネットワーク及びＡＰ１２５、１３０とＳＴＡ１００−１、１０５−１、１０５−２との間のネットワークが具現されることができる。しかし、ＡＰ１２５、１３０無しでＳＴＡ間でもネットワークを設定して通信を実行することも可能である。ＡＰ１２５、１３０無しでＳＴＡ間でもネットワークを設定して通信を実行するネットワークをアドホックネットワーク（Ａｄ−Ｈｏｃ  ｎｅｔｗｏｒｋ）または独立ＢＳＳ（ｉｎｄｅｐｅｎｄｅｎｔ  ｂａｓｉｃ  ｓｅｒｖｉｃｅ  ｓｅｔ、ＩＢＳＳ）と定義する。
【００１９】
図１の下段は、ＩＢＳＳを示す概念図である。
【００２０】
図１の下段を参照すると、ＩＢＳＳは、アドホックモードで動作するＢＳＳである。ＩＢＳＳは、ＡＰを含まないため、中央で管理機能を遂行するエンティティ（ｃｅｎｔｒａｌｉｚｅｄ  ｍａｎａｇｅｍｅｎｔ  ｅｎｔｉｔｙ）がない。即ち、ＩＢＳＳにおいて、ＳＴＡ１５０−１、１５０−２、１５０−３、１５５−４、１５５−５は、分散された方式（ｄｉｓｔｒｉｂｕｔｅｄ  ｍａｎｎｅｒ）に管理される。ＩＢＳＳにおいて、全てのＳＴＡ１５０−１、１５０−２、１５０−３、１５５−４、１５５−５は、移動ＳＴＡからなることができ、分散システムへの接続が許容されなくて自己完備的ネットワーク（ｓｅｌｆ−ｃｏｎｔａｉｎｅｄ  ｎｅｔｗｏｒｋ）を構築する。
【００２１】
ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理階層（Ｐｈｙｓｉｃａｌ  Ｌａｙｅｒ）インターフェースを含む任意の機能媒体であり、広義では、ＡＰと非ＡＰ  ＳＴＡ（Ｎｏｎ−ＡＰ  Ｓｔａｔｉｏｎ）を両方とも含む意味として使われることができる。
【００２２】
ＳＴＡは、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、モバイル加入者ユニット（Ｍｏｂｉｌｅ  Ｓｕｂｓｃｒｉｂｅｒ  Ｕｎｉｔ）または単純にユーザ（ｕｓｅｒ）などの多様な名称で呼ばれることもある。
【００２３】
以下、本実施例では、ＡＰからＳＴＡへ送信されるデータ（または、フレーム）はダウンリンクデータ（または、ダウンリンクフレーム）、ＳＴＡからＡＰへ送信されるデータ（または、フレーム）はアップリンクデータ（または、アップリンクフレーム）という用語で表現されることができる。また、ＡＰからＳＴＡへの送信はダウンリンク送信、ＳＴＡからＡＰへの送信はアップリンク送信という用語で表現できる。
【００２４】
また、ダウンリンク送信を介して送信されるＰＰＤＵ（ＰＨＹ  ｐｒｏｔｏｃｏｌ  ｄａｔａ  ｕｎｉｔ）、フレーム及びデータの各々は、ダウンリンクＰＰＤＵ、ダウンリンクフレーム及びダウンリンクデータという用語で表現されることができる。ＰＰＤＵは、ＰＰＤＵヘッダとＰＳＤＵ（ｐｈｙｓｉｃａｌ  ｌａｙｅｒ  ｓｅｒｖｉｃｅ  ｄａｔａ  ｕｎｉｔ）（または、ＭＰＤＵ（ＭＡＣ  ｐｒｏｔｏｃｏｌ  ｄａｔａ  ｕｎｉｔ））を含むデータ単位である。ＰＰＤＵヘッダは、ＰＨＹヘッダとＰＨＹプリアンブルを含むことができ、ＰＳＤＵ（または、ＭＰＤＵ）は、フレーム（または、ＭＡＣ階層の情報単位）を含み、またはフレームを指示するデータ単位である。ＰＨＹヘッダは、他の用語として、ＰＬＣＰ（ｐｈｙｓｉｃａｌ  ｌａｙｅｒ  ｃｏｎｖｅｒｇｅｎｃｅ  ｐｒｏｔｏｃｏｌ）ヘッダで表現され、ＰＨＹプリアンブルは、他の用語として、ＰＬＣＰプリアンブルで表現されることもできる。
【００２５】
また、アップリンク送信を介して送信されるＰＰＤＵ、フレーム及びデータの各々は、アップリンクＰＰＤＵ、アップリンクフレーム及びアップリンクデータという用語で表現されることができる。
【００２６】
既存の無線ＬＡＮシステムでは、ＳＵ（ｓｉｎｇｌｅ）−ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）送信に基づいて全体帯域幅が１個のＳＴＡへのダウンリンク送信及び１個のＳＴＡのアップリンク送信のために使われた。また、既存の無線ＬＡＮシステムにおいて、ＡＰは、ＭＵ  ＭＩＭＯ（ｍｕｌｔｉｐｌｅ  ｉｎｐｕｔ  ｍｕｌｔｉｐｌｅ  ｏｕｔｐｕｔ）に基づいてＤＬ（ｄｏｗｎｌｉｎｋ）ＭＵ（ｍｕｌｔｉ−ｕｓｅｒ）送信を実行することができ、このような送信は、ＤＬ  ＭＵ  ＭＩＭＯ送信という用語で表現されることができる。
【００２７】
本実施例に係る無線ＬＡＮシステムでは、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）ベースの送信方法がアップリンク送信及びダウンリンク送信のためにサポートされることができる。具体的に、本実施例に係る無線ＬＡＮシステムにおいて、ＡＰがＯＦＤＭＡに基づいてＤＬ  ＭＵ送信を実行することができ、このような送信は、ＤＬ  ＭＵ  ＯＦＤＭＡ送信という用語で表現されることができる。ＤＬ  ＭＵ  ＯＦＤＭＡ送信が実行される場合、ＡＰは、重なった時間リソース上で複数の周波数リソースの各々を介して複数のＳＴＡの各々にダウンリンクデータ（または、ダウンリンクフレーム、ダウンリンクＰＰＤＵ）を送信することができる。複数の周波数リソースは、複数のサブバンド（または、サブチャネル）または複数のＲＵ（ｒｅｓｏｕｒｃｅ  ｕｎｉｔ）（例えば、ＢＴＵ（ｂａｓｉｃ  ｔｏｎｅ  ｕｎｉｔ）、ＳＴＵ（ｓｍａｌｌ  ｔｏｎｅ  ｕｎｉｔ））である。ＤＬ  ＭＵ  ＯＦＤＭＡ送信は、ＤＬ  ＭＵ  ＭＩＭＯ送信と共に使われることができる。例えば、ＤＬ  ＭＵ  ＯＦＤＭＡ送信のために割り当てられた特定サブバンド（または、サブチャネル）上で複数の時空間ストリーム（ｓｐａｃｅ−ｔｉｍｅ  ｓｔｒｅａｍ）（または、空間的ストリーム（ｓｐａｔｉａｌ  ｓｔｒｅａｍ））に基づくＤＬ  ＭＵ  ＭＩＭＯ送信が実行されることができる。
【００２８】
また、本実施例に係る無線ＬＡＮシステムでは、複数のＳＴＡが同じ時間リソース上でＡＰにデータを送信するＵＬ  ＭＵ送信（ｕｐｌｉｎｋ  ｍｕｌｔｉ−ｕｓｅｒ  ｔｒａｎｓｍｉｓｓｉｏｎ）がサポートされることができる。複数のＳＴＡの各々による重なった時間リソース上でのアップリンク送信は、周波数ドメインまたは空間ドメイン（ｓｐａｔｉａｌ  ｄｏｍａｉｎ）上で実行されることができる。
【００２９】
複数のＳＴＡの各々によるアップリンク送信が周波数ドメイン上で実行される場合、ＯＦＤＭＡに基づいて複数のＳＴＡの各々に対して互いに異なる周波数リソース（サブバンド、サブチャネル、またはＲＵ（ｒｅｓｏｕｒｃｅ  ｕｎｉｔ））がアップリンク送信リソースに割り当てられることができる。複数のＳＴＡの各々は、割り当てられた互いに異なる周波数リソースを介してＡＰにアップリンクデータを送信することができる。このような互いに異なる周波数リソースを介した送信方法は、ＵＬ  ＭＵ  ＯＦＤＭＡ送信方法という用語で表現されることもできる。
【００３０】
複数のＳＴＡの各々によるアップリンク送信が空間ドメイン上で実行される場合、複数のＳＴＡの各々に対して互いに異なる時空間ストリーム（または、空間的ストリーム）が割り当てられ、複数のＳＴＡの各々が互いに異なる時空間ストリームを介してアップリンクデータをＡＰに送信することができる。このような互いに異なる空間的ストリームを介した送信方法は、ＵＬ  ＭＵ  ＭＩＭＯ送信方法という用語で表現されることもできる。
【００３１】
ＵＬ  ＭＵ  ＯＦＤＭＡ送信とＵＬ  ＭＵ  ＭＩＭＯ送信は共に実行されることができる。例えば、ＵＬ  ＭＵ  ＯＦＤＭＡ送信のために割り当てられた特定サブバンド（または、サブチャネル）上で複数の時空間ストリーム（または、空間的ストリーム）に基づくＵＬ  ＭＵ  ＭＩＭＯ送信が実行されることができる。
【００３２】
ＭＵ  ＯＦＤＭＡ送信をサポートしなかった従来の無線ＬＡＮシステムにおいて、一つの端末に広い帯域幅（ｗｉｄｅｒ  ｂａｎｄｗｉｄｔｈ）（例えば、２０ＭＨｚ超過帯域幅）を割り当てるためにマルチチャネル割当方法が使われた。マルチチャネルは、一つのチャネル単位を２０ＭＨｚとする場合、複数個の２０ＭＨｚチャネルを含むことができる。マルチチャネル割当方法では端末に広い帯域幅を割り当てるためにプライマリチャネル規則（ｐｒｉｍａｒｙ  ｃｈａｎｎｅｌ  ｒｕｌｅ）が使われた。プライマリチャネル規則が使われる場合、端末に広い帯域幅を割り当てるための制約が存在する。具体的に、プライマリチャネルルールによると、プライマリチャネルに隣接したセカンダリチャネル（ｓｅｃｏｎｄａｒｙ  ｃｈａｎｎｅｌ）がＯＢＳＳ（ｏｖｅｒｌａｐｐｅｄ  ＢＳＳ）で使われて‘ビジー（ｂｕｓｙ）’の場合、ＳＴＡは、プライマリチャネルを除外した残りのチャネルを使用することができない。したがって、ＳＴＡは、プライマリチャネルを介してのみフレームを送信することができるため、マルチチャネルを介したフレームの送信に対する制約を受ける。即ち、既存の無線ＬＡＮシステムにおいて、マルチチャネル割当のために使われたプライマリチャネルルールは、ＯＢＳＳが少なくない現在無線ＬＡＮ環境で広い帯域幅を運用して高い処理量を得ようとする時に大きい制約となることができる。
【００３３】
このような問題点を解決するために、本実施例ではＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）技術をサポートする無線ＬＡＮシステムが開示される。ＯＦＤＭＡ技術が使われる場合、プライマリチャネルルールによる制限無しでマルチチャネルを一つの端末でない複数の端末が同時に使用することができる。したがって、広い帯域幅運用が可能で無線リソースの運用の効率性が向上することができる。
【００３４】
本実施例に係る無線ＬＡＮシステムで仮定される時間−周波数構造（ｔｉｍｅ−ｆｒｅｑｕｅｎｃｙ  ｓｔｒｕｃｔｕｒｅ）は、例示的に下記の通りである。
【００３５】
ＦＦＴ（ｆａｓｔ  ｆｏｕｒｉｅｒ  ｔｒａｎｓｆｏｒｍ）サイズ／ＩＦＦＴ（ｉｎｖｅｒｓｅ  ｆａｓｔ  ｆｏｕｒｉｅｒ  ｔｒａｎｓｆｏｒｍ）サイズは、既存の無線ＬＡＮシステムで使われたＦＦＴ／ＩＦＦＴサイズのＮ倍（Ｎは、自然数、例えば、Ｎ＝４）に定義されることができる。即ち、ＨＥ  ＰＰＤＵの第１の部分に比べてＨＥ  ＰＰＤＵの第２の部分に４倍サイズのＦＦＴ／ＩＦＦＴが適用されることができる。例えば、２０ＭＨｚの帯域幅に対して２５６ＦＦＴ／ＩＦＦＴが適用され、４０ＭＨｚの帯域幅に対して５１２ＦＦＴ／ＩＦＦＴが適用され、８０ＭＨｚの帯域幅に対して１０２４ＦＦＴ／ＩＦＦＴが適用され、連続１６０ＭＨｚまたは不連続１６０ＭＨｚの帯域幅に対して２０４８ＦＦＴ／ＩＦＦＴが適用されることができる。
【００３６】
サブキャリア空間／スペーシング（ｓｕｂｃａｒｒｉｅｒ  ｓｐａｃｉｎｇ）は、既存の無線ＬＡＮシステムで使われたサブキャリア空間の１／Ｎ倍（Ｎは、自然数、例えば、Ｎ＝４の場合、７８．１２５ｋＨｚ）の大きさである。
【００３７】
ＩＤＦＴ（ｉｎｖｅｒｓｅ  ｄｉｓｃｒｅｔｅ  ｆｏｕｒｉｅｒ  ｔｒａｎｓｆｏｒｍ）／ＤＦＴ（ｄｉｓｃｒｅｔｅ  ｆｏｕｒｉｅｒ  ｔｒａｎｓｆｏｒｍ）（または、ＦＦＴ／ＩＦＦＴ）に基づくＩＤＦＴ／ＤＦＴ長さ（または、有効シンボル長さ）は、既存の無線ＬＡＮシステムでＩＤＦＴ／ＤＦＴ長さのＮ倍である。例えば、既存の無線ＬＡＮシステムにおいて、ＩＤＦＴ／ＤＦＴ長さが３．２μｓであり、Ｎ＝４の場合、本実施例に係る無線ＬＡＮシステムにおいて、ＩＤＦＴ／ＤＦＴ長さは、３．２μｓ＊４（＝１２．８μｓ）である。
【００３８】
ＯＦＤＭシンボルの長さは、ＩＤＦＴ／ＤＦＴ長さにＧＩ（ｇｕａｒｄ  ｉｎｔｅｒｖａｌ）の長さを加えた値である。ＧＩの長さは、０．４μｓ、０．８μｓ、１．６μｓ、２．４μｓ、３．２μｓのような多様な値である。
【００３９】
本発明の実施例に係るＯＦＤＭＡベースのリソース割当方法が使われる場合、互いに異なる大きさで定義されたリソース割当単位が使われることができる。具体的に、ＯＦＤＭＡベースのリソース割当のためにＢＴＵ（ｂａｓｉｃ  ｔｏｎｅ  ｕｎｉｔ）及びＳＴＵ（ｓｍａｌｌ  ｔｏｎｅ  ｕｎｉｔ）が定義されることができる。
【００４０】
ＡＰは、前記のような多様なリソース単位に基づいて少なくとも１個のＳＴＡのためのダウンリンク送信リソース及び／またはアップリンク送信リソースを決定することができる。ＡＰは、スケジューリングされたダウンリンク送信リソースを介して少なくとも一つのＰＰＤＵを少なくとも１個のＳＴＡに送信することができる。また、ＡＰは、スケジューリングされたアップリンク送信リソースを介して少なくとも１個のＳＴＡにより送信される少なくとも一つのＰＰＤＵを受信することができる。
【００４１】
ＢＴＵは、ＳＴＵに比べて相対的に大きいサイズのリソース単位（ｌａｒｇｅｒ  ｓｉｚｅ  ｒｅｓｏｕｒｃｅ  ｕｎｉｔ）である。例えば、ＢＴＵは、５６トーン（ｔｏｎｅ）、１１４トーンなどの大きさで定義されることができる。ＢＴＵは、可用な帯域幅の大きさ（例えば、２０ＭＨｚ、４０ＭＨｚ、８０ＭＨｚ、１６０ＭＨｚ等）と関係無しで同じ大きさで定義され、または可用な帯域幅の大きさに従属的に変化される大きさで定義されることができる。例えば、ＢＴＵの大きさは、可用な帯域幅の大きさの増加によって相対的に大きい値で定義されることもできる。トーン（ｔｏｎｅ）は、サブキャリア（ｓｕｂｃａｒｒｉｅｒ）と同じ意味で解釈されることができる。
【００４２】
ＳＴＵは、ＢＴＵに比べて相対的に小さいサイズのリソース単位（ｓｍａｌｌｅｒ  ｓｉｚｅ  ｒｅｓｏｕｒｃｅ  ｕｎｉｔ）である。例えば、ＳＴＵは、２６トーンの大きさで定義されることができる。
【００４３】
ＢＴＵ及びＳＴＵのようなリソース単位は、全体帯域幅（または、可用な帯域幅）上で全体帯域幅の両終端に位置した干渉緩和のための左側ガードトーン（ｌｅｆｔ  ｇｕａｒｄ  ｔｏｎｅ）、右側ガードトーン（ｒｉｇｈｔ  ｇｕａｒｄ  ｔｏｎｅ）及び全体帯域幅の中央に位置したＤＣ（ｄｉｒｅｃｔ  ｃｕｒｒｅｎｔ）トーンを考慮して割り当てられることができる。それだけでなく、ＢＴＵ及びＳＴＵのようなリソース単位は、ユーザ割当分離（ｕｓｅｒ  ａｌｌｏｃａｔｉｏｎ  ｓｅｐａｒａｔｉｏｎ）（または、ＳＴＡ別リソース割当）、一般パイロット（ｃｏｍｍｏｎ  ｐｉｌｏｔ）、ＡＧＣ（ａｕｔｏｍａｔｉｃ  ｇａｉｎ  ｃｏｎｔｒｏｌ）、位相トラッキング（ｐｈａｓｅ  ｔｒａｃｋｉｎｇ）などの用途で使われることができるレフトオーバー（ｌｅｆｔｏｖｅｒ）トーンを考慮して割り当てられることができる。
【００４４】
全体帯域幅上でＢＴＵ及びＳＴＵのようなリソース単位の割当方法（割当個数、割当位置など）は、リソース活用効率、全体帯域幅によるスケーラビリティ（ｓｃａｌａｂｉｌｉｔｙ）（または、拡張性）を考慮して設定されることができる。ＢＴＵ及びＳＴＵのようなリソース単位の割当方法は、あらかじめ定義され、または多様な方法（例えば、ＰＰＤＵのＰＰＤＵヘッダに含まれるシグナルフィールド（ｓｉｇｎａｌ  ｆｉｅｌｄ）に基づくシグナリング）に基づいてシグナリングされることができる。
【００４５】
以下、具体的なＢＴＵ及びＳＴＵに基づくリソース割当方法が開示される。
【００４６】
図２は、本発明の実施例に係るリソース割当方法を示す概念図である。
【００４７】
図２では、全体帯域幅上で可用なトーン（ａｖａｉｌａｂｌｅ  ｔｏｎｅ）の個数を考慮してレフトオーバートーン（ｌｅｆｔｏｖｅｒ  ｔｏｎｅ）（または、残りのトーン（ｒｅｍａｉｎｉｎｇ  ｔｏｎｅ））がないようにＢＴＵ及びＳＴＵを割り当てる方法が開示される。また、仮想的割当に基づいて少なくとも１個のＢＴＵ及び少なくとも１個のＳＴＵの組み合わせを１個のＳＴＡに割り当てる方法が開示される。可用なトーンは、左側ガードトーン（ｌｅｆｔ  ｇｕａｒｄ  ｔｏｎｅ）、右側ガードトーン（ｒｉｇｈｔ  ｇｕａｒｄ  ｔｏｎｅ）、ＤＣトーンなどを除外したＳＴＡへのリソース割当のために使用可能なトーンである。
【００４８】
以下の表１では、２０ＭＨｚ、４０ＭＨｚ、８０ＭＨｚの帯域幅上でＢＴＵ及びＳＴＵを割り当てる方法が開示される。
【００４９】
【表１】
0006282781.tif 000002
【００５０】
表１を参照すると、全体帯域幅が２０ＭＨｚである場合、ＢＴＵは５６トーンであり、ＳＴＵは２６トーンに対応されるリソース単位である。２０ＭＨｚ帯域幅上でガードトーン及びＤＣトーンを除外した可用なトーンの個数は、２４２トーンであり、２４２トーン上で割当可能な全体ＢＴＵの個数は、２個であり、割当可能な全体ＳＴＵの個数は、５個である。２個のＢＴＵ及び５個のＳＴＵの全体トーンの和は、２４２トーンである。２個のＢＴＵ及び５個のＳＴＵは、レフトオーバートーン無しで２０ＭＨｚ帯域幅上で可用なトーンの個数２４２トーンにマッピングされることができる。
【００５１】
２０ＭＨｚ帯域幅上で１個のＳＴＡは、１個または２個のＢＴＵ及び／または１個、２個、４個または５個のＳＴＵの割当を受けることができる。また、ＢＴＵ及び／またはＳＴＵの組み合わせに基づいて２０ＭＨｚ帯域幅上で最大７個のＳＴＡに対するリソース割当（例えば、ＳＴＡ１：ＢＴＵ１、ＳＴＡ１：ＢＴＵ２、ＳＴＡ３：ＳＴＵ１、ＳＴＡ４：ＳＴＵ２、ＳＴＡ５：ＳＴＵ３、ＳＴＡ６：ＳＴＵ４、ＳＴＡ７：ＳＴＵ５）が実行されることができる。
【００５２】
全体帯域幅が４０ＭＨｚである場合、ＢＴＵは、選択的に５６トーンまたは１１４トーンに対応されるリソース単位であり、ＳＴＵは２６トーンに対応されるリソース単位である。
【００５３】
ＢＴＵが５６トーンである場合、４０ＭＨｚ帯域幅上でガードトーン及びＤＣトーンを除外した可用なトーンの個数は、２４２トーンの倍数である４８４トーンである。また、ＢＴＵが５６トーンである場合、４８４トーン上で割当可能な全体ＢＴＵの個数は、４個であり、割当可能な全体ＳＴＵの個数は、１０個である。４個のＢＴＵ及び１０個のＳＴＵの全体トーンの和は、４８４トーンである。４個のＢＴＵ及び１０個のＳＴＵは、レフトオーバートーン無しで４０ＭＨｚ帯域幅上で可用なトーンの個数４８４トーンに対応されることができる。
【００５４】
ＢＴＵが５６トーンである場合、４０ＭＨｚ帯域幅上で１個のＳＴＡは、１個または２個のＢＴＵ及び／または１個、２個、４個または１０個のＳＴＵの割当を受けることができる。また、ＢＴＵ及び／またはＳＴＵの組み合わせに基づいて４０ＭＨｚ帯域幅上で最大１４個のＳＴＡに対するリソース割当が実行されることができる。
【００５５】
ＢＴＵが１１４トーンである場合、４０ＭＨｚ帯域幅上でガードトーン及びＤＣトーンを除外した可用なトーンの個数は、４９８トーンである。また、ＢＴＵが１１４トーンである場合、４９８トーン上で割当可能な全体ＢＴＵの個数は、３個であり、４０ＭＨｚ帯域幅上で割当可能な全体ＳＴＵの個数は、６個である。３個のＢＴＵ及び１０個のＳＴＵの全体トーンの和は、４９８トーンである。３個のＢＴＵ及び１０個のＳＴＵは、レフトオーバートーン無しで４０ＭＨｚ帯域幅上で可用なトーンの個数４９８トーンに対応されることができる。
【００５６】
ＢＴＵが１１４トーンである場合、４０ＭＨｚ帯域幅上で１個のＳＴＡは、１個または２個のＢＴＵ及び／または１個、２個、４個または６個のＳＴＵの割当を受けることができる。また、ＢＴＵ及び／またはＳＴＵの組み合わせに基づいて４０ＭＨｚ帯域幅上で最大９個のＳＴＡに対するリソース割当が実行されることができる。
【００５７】
全体帯域幅が８０ＭＨｚである場合、ＢＴＵは１１４トーンであり、ＳＴＵは２６トーンである。８０ＭＨｚ帯域幅上でガードトーン及びＤＣトーンを除外した可用なトーンの個数は、９９６トーンであり、９９６トーン上で割当可能な全体ＢＴＵの個数は、６個であり、割当可能な全体ＳＴＵの個数は、１２個である。６個のＢＴＵ及び１２個のＳＴＵの全体トーンの和は、９９６トーンである。６個のＢＴＵ及び１２個のＳＴＵは、残るレフトオーバートーン無しで８０ＭＨｚ帯域幅上で可用なトーンの個数９９６トーンに対応されることができる。
【００５８】
８０ＭＨｚ帯域幅上で１個のＳＴＡは、１個、２個または４個のＢＴＵ及び／または１個、２個、４個または１２個のＳＴＵの割当を受けることができる。また、ＢＴＵ及び／またはＳＴＵの組み合わせに基づいて８０ＭＨｚ帯域幅上で最大１８個のＳＴＡに対するリソース割当が実行されることができる。
【００５９】
本発明の実施例によると、１個のＳＴＡが２個のＢＴＵ及び５個のＳＴＵに対応される全体２４２トーン（＝５６トーン＊２ＢＴＵ＋２６トーン＊５ＳＴＵ）の割当を受けることができる。
【００６０】
２４２トーンが１個のＳＴＡに割り当てられる場合、既存のパイロット割当及び既存のインターリーバサイズが活用されることができる。具体的に、２４２トーンのうち、８トーンにパイロットトーンが割り当てられ、残りの２３４トーンに対してデータトーンが割り当てられることができる。２３４トーンのデータトーンに対して２３４サイズのインターリーバに基づくインターリービングが実行されることができる。
【００６１】
このような場合、既存の２４２トーンの割当を受けたＳＴＡと同じようにデータインターリービング手順及びパイロットトーン挿入手順が実行されることができる。即ち、物理的に２４２トーン構造がサポートされない場合にも、一つの仮想的な２４２トーンのリソース単位がＳＴＡに割り当てられることができる。このような場合、既存の２３４サイズのインターリーバを活用したインターリービング手順及び既存のパイロットトーン（８個のパイロットトーン）の挿入手順が使われることができる。２４２トーンのリソース単位は、仮想割当リソース単位（ｖｉｒｔｕａｌ  ａｌｌｏｃａｔｉｏｎ  ｒｅｓｏｕｒｃｅ  ｕｎｉｔ）という用語で表現されることができる。例えば、仮想割当リソース単位は、２４２トーンまたは２４２トーンの倍数（例えば、４８４、９６８等）である。または、仮想割当リソース単位の大きさは、既存の無線ＬＡＮシステムで使われた他のインターリーバサイズ（１０８、５２、２４等）に基づいて決定されることもできる。
【００６２】
同様に、１個のＳＴＡに割当可能なＳＴＵ（または、ＢＴＵ）の個数及び／または１個のＳＴＡに割り当てられるＳＴＵ（または、ＢＴＵ）の個数に対する情報は、ＡＰによりシグナリングされることができる。１個のＳＴＡに帯域幅で割当可能な最大ＳＴＵ（または、ＢＴＵ）の個数より小さい個数のＳＴＵ（または、ＢＴＵ）が割り当てられることができ、ＡＰによりＳＴＡに割り当てられるＳＴＵ（または、ＢＴＵ）に対する情報（個数及び／または割当位置）に対する情報がシグナリングされることができる。表１に示す帯域幅の大きさによって、１個のＳＴＡに割当可能なＳＴＵ（または、ＢＴＵ）の個数は、例示的な値である。
【００６３】
１個のＳＴＡに２０ＭＨｚ単位の帯域幅（例えば、２０ＭＨｚ帯域幅、４０ＭＨｚ帯域幅、８０ＭＨｚ帯域幅）が割り当てられる場合、２４２トーンベースのヌメロロジーが再び使われることができる。１個のＳＴＡは、２４２トーン（２０ＭＨｚ帯域幅）、４８４トーン（４０ＭＨｚ帯域幅）、９６８トーン（８０ＭＨｚ帯域幅）などのように２４２トーンの倍数に対応される可用なトーンの割当を受けることができる。
【００６４】
または、１個のＳＴＡに２０ＭＨｚ単位の帯域幅が割り当てられる場合、各帯域幅の大きさに基づいて割当可能な全体ＢＴＵ及び全体ＳＴＵが１個のＳＴＡに割り当てられることができる。例えば、２０ＭＨｚ帯域幅に対し、２個のＢＴＵ及び５個のＳＴＵが割り当てられ、４０ＭＨｚ帯域幅に対し、４個のＢＴＵ及び１０個のＳＴＵ（または、３個のＢＴＵ及び６個のＳＴＵ）が割り当てられることができる。もし、ＢＴＵ及びＳＴＵの両方ともが一ユーザに割り当てられる場合、周波数分割（ｆｒｅｑｕｅｎｃｙ  ｓｅｇｍｅｎｔ）に基づいてＢＴＵ及びＳＴＵの各々（または、ＢＴＵ及びＳＴＵの特定組み合わせ）に対してインターリービングが実行され、または他のインターリーバが追加的にデザインされて使われることができる。
【００６５】
また、本発明の実施例によると、１個のＢＴＵに対応される５６トーンは、２個の２６トーン単位に分割され、４個のレフトオーバートーンを残すことができる。したがって、帯域幅上で割当可能なＢＴＵの個数を減少させ、その代りに帯域幅上で割当可能なＳＴＵの個数を増加させることができる。表１において、帯域幅上で割当可能なＢＴＵの個数が１個減少される場合、帯域幅上で割当可能なＳＴＵの個数が２個増加できる。
【００６６】
また、１個のＢＴＵが１１４トーンに対応される場合、１１４トーンのＢＴＵは、４個のＳＴＵに分割され、１０個のレフトオーバートーンを残すことができる。同じ方式で、１１４トーンのＢＴＵを一つ減少させ、２６トーンに対応されるＳＴＵを４個増加させる方式で帯域幅上で割当可能なＢＴＵ及びＳＴＵの個数を変化させることもできる。
【００６７】
それに対し、ＳＴＵの個数を減少させ、減少させたＳＴＵに対応してＢＴＵの個数が増加されることもできる。例えば、２６個のＳＴＵ２個及び４個のレフトオーバートーンを結合して５６トーン単位のＢＴＵを生成することができる。または、複数のＳＴＵを結合して一つのリソース単位として使用することもできる。例えば、２６個のＳＴＵ２個を結合して５２トーン大きさの組み合わせＳＴＵを定義して使用することもできる。
【００６８】
図２の左側では、仮想割当が実行されずに、ＳＴＡ１乃至ＳＴＡ４にＢＴＵ及び／またはＳＴＵが割り当てられる場合が開示される。
【００６９】
図２の左側を参照すると、ＳＴＡ１は、ガードトーンに隣接した１個のＢＴＵの割当を受け、ＳＴＡ２は、２個のＢＴＵの割当を受けることができる。また、ＳＴＡ３は、ＤＣトーンに隣接した１個のＢＴＵの割当を受け、ＳＴＡ４は、分散された４個のＳＴＵの割当を受けることができる。
【００７０】
図２の右側では、仮想割当が実行されてＳＴＡ１乃至ＳＴＡ４に仮想割当リソース単位、ＢＴＵ及び／またはＳＴＵが割り当てられる場合が開示される。
【００７１】
図２の右側を参照すると、ＳＴＡ１は、ガードトーンに隣接した２４２トーンに対応される仮想割当リソース単位の割当を受け、ＳＴＡ２は、１個のＢＴＵの割当を受けることができる。また、ＳＴＡ３は、他のガードトーンに隣接した他の仮想割当リソース単位の割当を受け、ＳＴＡ４は、分散された４個のＳＴＵの割当を受けることができる。
【００７２】
以下の表２では、２０ＭＨｚ、４０ＭＨｚ、８０ＭＨｚの帯域幅上でＢＴＵ及びＳＴＵを割り当てる他の方法が開示される。
【００７３】
【表２】
0006282781.tif 000003
【００７４】
表２を参照すると、全体帯域幅が２０ＭＨｚである場合、ＢＴＵは５６トーンであり、ＳＴＵは２６トーンである。２０ＭＨｚ帯域幅上でガードトーン及びＤＣトーンを除外した可用なトーンの個数は、２４２トーンであり、２４２トーン上で割当可能な全体ＢＴＵの個数は、２個であり、割当可能な全体ＳＴＵの個数は、５個である。２個のＢＴＵ及び５個のＳＴＵの全体トーンの和は、２４２トーンである。２個のＢＴＵ及び５個のＳＴＵは、レフトオーバートーン無しで２０ＭＨｚ帯域幅上で可用なトーンの個数２４２トーンに対応されることができる。
【００７５】
２０ＭＨｚ帯域幅上で１個のＳＴＡは、１個または２個のＢＴＵ及び／または１個、２個、４個または５個のＳＴＵの割当を受けることができる。また、ＢＴＵ及び／またはＳＴＵの組み合わせに基づいて２０ＭＨｚ帯域幅上で最大７個のＳＴＡに対するリソース割当（例えば、ＳＴＡ１：ＢＴＵ１、ＳＴＡ１：ＢＴＵ２、ＳＴＡ３：ＳＴＵ１、ＳＴＡ４：ＳＴＵ２、ＳＴＡ５：ＳＴＵ３、ＳＴＡ６：ＳＴＵ４、ＳＴＡ７：ＳＴＵ５）が実行されることができる。
【００７６】
全体帯域幅が４０ＭＨｚである場合、ＢＴＵは５６トーンであり、ＳＴＵは２６トーンである。
【００７７】
４０ＭＨｚ帯域幅上でガードトーン及びＤＣトーンを除外した可用なトーンの個数は、２４２トーンの倍数である４８４トーンである。４８４トーン上で割当可能な全体ＢＴＵの個数は、４個であり、割当可能な全体ＳＴＵの個数は、１０個である。４個のＢＴＵ及び１０個のＳＴＵの全体トーンの和は、４８４トーンである。４個のＢＴＵ及び１０個のＳＴＵは、レフトオーバートーン無しで４０ＭＨｚ帯域幅上で可用なトーンの個数４８４トーンに対応されることができる。
【００７８】
４０ＭＨｚ帯域幅上で１個のＳＴＡは、１個または２個のＢＴＵ及び／または１個、２個、４個または１０個のＳＴＵの割当を受けることができる。また、ＢＴＵ及び／またはＳＴＵの組み合わせに基づいて４０ＭＨｚ帯域幅上で最大１４個のＳＴＡに対するリソース割当が実行されることができる。
【００７９】
全体帯域幅が８０ＭＨｚである場合、ＢＴＵは５６トーンであり、ＳＴＵは２６トーンである。８０ＭＨｚ帯域幅上でガードトーン及びＤＣトーンを除外した可用なトーンの個数は、９９４トーンであり、９９４トーン上で割当可能な全体ＢＴＵの個数は、８個であり、割当可能な全体ＳＴＵの個数は、２１個である。８個のＢＴＵ及び２１個のＳＴＵの全体トーンの和は、９９４トーンである。８個のＢＴＵ及び２１個のＳＴＵは、レフトオーバートーン無しで８０ＭＨｚ帯域幅上で可用なトーンの個数９９４トーンに対応されることができる。
【００８０】
８０ＭＨｚ帯域幅上で１個のＳＴＡは、１個、２個または４個のＢＴＵ及び／または１個、２個、４個または２１個のＳＴＵの割当を受けることができる。また、ＢＴＵ及び／またはＳＴＵの組み合わせに基づいて８０ＭＨｚ帯域幅上で最大２９個のＳＴＡに対するリソース割当が実行されることができる。
【００８１】
表２においても、２個のＢＴＵ及び５個のＳＴＵに対応される２４２トーンが仮想割当リソース単位としてＳＴＡに割り当てられることができる。または、４個のＢＴＵ及び１０個のＳＴＵに対応される４８４トーンが仮想割当リソース単位としてＳＴＡに割り当てられることができる。
【００８２】
前述したように、仮想割当リソース単位がＳＴＡに割り当てられた場合、既存のインターリーバに基づくインターリービング手順及び既存のパイロット挿入手順が実行されることができる。
【００８３】
同様に、１個のＳＴＡに割当可能なＳＴＵ（または、ＢＴＵ）の個数及び／または１個のＳＴＡに割り当てられるＳＴＵ（または、ＢＴＵ）の個数に対する情報は、ＡＰによりシグナリングされることができる。１個のＳＴＡに帯域幅で割当可能な最大ＳＴＵ（または、ＢＴＵ）の個数より小さい個数のＳＴＵ（または、ＢＴＵ）が割り当てられることができ、ＡＰによりＳＴＡに割り当てられるＳＴＵ（または、ＢＴＵ）に対する情報（個数及び／または割当位置）に対する情報がシグナリングされることができる。表２に示す帯域幅の大きさによって、１個のＳＴＡに割当可能なＳＴＵ（または、ＢＴＵ）の個数は、例示的な値である。
【００８４】
また、表２に示す帯域幅上で割当可能な最大ＳＴＡの個数も、例示的な値である。例えば、制限されたリソース組み合わせに基づいて２０個より小さい個数のＳＴＡのみが帯域幅上でサポートされることもできる。
【００８５】
または、１個のＳＴＡに全体帯域幅が割り当てられる場合、各帯域幅の大きさに基づいて割当可能な全体ＢＴＵ及び全体ＳＴＵが１個のＳＴＡに割り当てられることができる。例えば、２０ＭＨｚ帯域幅に対し、２個のＢＴＵ及び５個のＳＴＵが割り当てられ、４０ＭＨｚ帯域幅に対し、４個のＢＴＵ及び１０個のＳＴＵ（または、３個のＢＴＵ及び６個のＳＴＵ）が割り当てられ、８０ＭＨｚ帯域幅に対して８個のＢＴＵ及び２１個のＳＴＵが割り当てられることができる。
【００８６】
また、表２に示すリソース割当と関連して、１個のＢＴＵが複数のＳＴＵに分割され、または複数のＳＴＵが１個のＢＴＵ（または、組み合わせＳＴＵ）で組み合わせられて帯域幅上で割当可能なＢＴＵの個数及びＳＴＵの個数が変わることができる。
【００８７】
以下の表３では、２０ＭＨｚ、４０ＭＨｚ、８０ＭＨｚの帯域幅上でＢＴＵ及びＳＴＵを割り当てる方法が開示される。
【００８８】
【表３】
0006282781.tif 000004
【００８９】
表３を参照すると、全体帯域幅が２０ＭＨｚである場合、ＢＴＵは５６トーンであり、ＳＴＵは２６トーンである。２０ＭＨｚ帯域幅上でガードトーン及びＤＣトーンを除外した可用なトーンの個数は、２４２トーンであり、２４２トーン上で割当可能な全体ＢＴＵの個数は、２個であり、割当可能な全体ＳＴＵの個数は、５個である。２個のＢＴＵ及び５個のＳＴＵの全体トーンの和は、２４２トーンである。２個のＢＴＵ及び５個のＳＴＵは、レフトオーバートーン無しで２０ＭＨｚ帯域幅上で可用なトーンの個数２４２トーンに対応されることができる。
【００９０】
２０ＭＨｚ帯域幅上で１個のＳＴＡは、１個または２個のＢＴＵ及び／または１個、２個または４個のＳＴＵの割当を受けることができる。また、ＢＴＵ及び／またはＳＴＵの組み合わせに基づいて２０ＭＨｚ帯域幅上で最大７個のＳＴＡに対するリソース割当（例えば、ＳＴＡ１：ＢＴＵ１、ＳＴＡ１：ＢＴＵ２、ＳＴＡ３：ＳＴＵ１、ＳＴＡ４：ＳＴＵ２、ＳＴＡ５：ＳＴＵ３、ＳＴＡ６：ＳＴＵ４、ＳＴＡ７：ＳＴＵ５）が実行されることができる。
【００９１】
全体帯域幅が４０ＭＨｚである場合、ＢＴＵは５６トーンであり、ＳＴＵは２６トーンである。
【００９２】
４０ＭＨｚ帯域幅上でガードトーン及びＤＣトーンを除外した可用なトーンの個数は、４９２トーンである。４９２トーン上で割当可能な全体ＢＴＵの個数は、６個であり、割当可能な全体ＳＴＵの個数は、６個である。６個のＢＴＵ及び６個のＳＴＵの全体トーンの和は、４９２トーンである。６個のＢＴＵ及び６個のＳＴＵは、レフトオーバートーン無しで４０ＭＨｚ帯域幅上で可用なトーンの個数４９２トーンに対応されることができる。
【００９３】
４０ＭＨｚ帯域幅上で１個のＳＴＡは、１個または２個のＢＴＵ及び／または１個、２個または４個のＳＴＵの割当を受けることができる。また、ＢＴＵ及び／またはＳＴＵの組み合わせに基づいて４０ＭＨｚ帯域幅上で最大１２個のＳＴＡに対するリソース割当が実行されることができる。
【００９４】
全体帯域幅が８０ＭＨｚである場合、ＢＴＵは５６トーンであり、ＳＴＵは２６トーンである。８０ＭＨｚ帯域幅上でガードトーン及びＤＣトーンを除外した可用なトーンの個数は、１００２トーンであり、１００２トーン上で割当可能な全体ＢＴＵの個数は、１０個であり、割当可能な全体ＳＴＵの個数は、１７個である。１０個のＢＴＵ及び１７個のＳＴＵの全体トーンの和は、１００２トーンである。１０個のＢＴＵ及び１７個のＳＴＵは、レフトオーバートーン無しで８０ＭＨｚ帯域幅上で可用なトーンの個数１００２トーンに対応されることができる。
【００９５】
８０ＭＨｚ帯域幅上で１個のＳＴＡは、１個、２個または４個のＢＴＵ及び／または１個、２個または４個のＳＴＵの割当を受けることができる。また、ＢＴＵ及び／またはＳＴＵの組み合わせに基づいて８０ＭＨｚ帯域幅上で最大２７個のＳＴＡに対するリソース割当が実行されることができる。
【００９６】
以下、本発明の実施例に係る仮想割当リソース単位に対するシグナリング方法が開示される。説明の便宜上、２４２トーンの大きさの仮想割当リソース単位に対するシグナリング方法が開示されるが、他の大きさの仮想割当リソース単位に対するシグナリングも同じ方式で実行されることができる。
【００９７】
仮想割当リソース単位の割当のために仮想割当リソース単位を構成する個別リソース単位ＢＴＵ及びＳＴＵに対する割当情報がＳＴＡに送信されることができる。例えば、２個のＢＴＵ及び５個のＳＴＵがＳＴＡに割り当てられる場合、２４２トーンの仮想割当リソース単位がＳＴＡに割り当てられる場合、既存の２４２トーンベースのＯＦＤＭヌメロロジー（既存のパイロット割当及び既存のインターリーバサイズ）が活用されることができる。
【００９８】
または、シグナリングオーバーヘッドを減らすために一ユーザに割当不可能なＢＴＵ個数を割り当てる場合、ＳＴＡへの２４２トーンまたは２４２トーンの倍数に対応される仮想割当リソース単位の割当が指示されることができる。例えば、２０ＭＨｚ帯域幅でＳＴＡに３個のＢＴＵの割当は、ＳＴＡへの仮想割当リソース単位の割当を指示することができる。
【００９９】
例えば、もし、ＢＴＵが最大２個まで１個のＳＴＡに割当可能な場合、シグナリングされたＢＴＵの個数が３以上の特定値または表現可能な最も大きい値または０を指示する場合、ＢＴＵ２個とＳＴＵ５個が結合されて一つの仮想割当リソース単位として１個のＳＴＡに割り当てられる場合が指示されることができる。
【０１００】
また、割当不可能な特定ＢＴＵの個数が第１の値（例えば、３個）である場合、第１の仮想割当リソース単位（例えば、２４２トーン）が指示され、割当不可能な特定ＢＴＵの個数が第２の値（例えば、４個）である場合、第２の仮想割当リソース単位（例えば、４８４トーン）が指示されることができる。
【０１０１】
または、別途の仮想割当リソース単位の割当のための指示子（例えば、仮想割当指示子）が定義され、仮想割当指示子が仮想割当リソース単位の割当のために使われることもできる。
【０１０２】
前述したように、１個のＢＴＵは、複数個のＳＴＵに分割されることもでき、複数個のＳＴＵへの分割によって、レフトオーバートーンが残されることができる。例えば、５６トーンのＢＴＵが２６トーンの２個のＳＴＵに分割され、４個のレフトオーバートーンが残されることができる。４個のレフトオーバートーンは、分割された２個の２６トーンのＳＴＵ間に位置し、または２個のレフトオーバートーン単位に各々が分割された２個の２６トーンの上段ガードトーン及び下段ガードトーンとして使われることもできる。また、このようなＢＴＵのＳＴＵへの分割に対する情報もシグナリングされることができる。ＢＴＵのＳＴＵへの分割に対する情報に対するシグナリングを介してリソース単位分割情報が送信されることができる。
【０１０３】
リソース単位分割情報は、ＳＴＵに分割されたＢＴＵに対する情報、全体帯域幅上で変化された割当可能なＢＴＵの個数及び変化された割当可能なＳＴＵの個数に対する情報などを含むことができる。
【０１０４】
それに対し、複数のＳＴＵが結合されて組み合わせＳＴＵを形成し、または１個のＳＴＵが分割されて分割ＳＴＵを形成することもできる。また、複数のＢＴＵが結合されて組み合わせＢＴＵを形成し、または１個のＢＴＵが分割されて分割ＢＴＵを形成することもできる。例えば、２個のＳＴＵが結合される場合、５２トーン大きさの組み合わせＳＴＵが生成され、１個のＳＴＵが分割される場合、１３トーン大きさの２個の分割ＳＴＵが生成されることができる。リソース単位分割情報は、前記のような組み合わせＳＴＵ、組み合わせＢＴＵ、分割ＳＴＵ、分割ＢＴＵと関連した情報を含むことができる。
【０１０５】
図３は、本発明の実施例に係る帯域幅上でリソース割当方法を示す概念図である。
【０１０６】
図３では、２０ＭＨｚ、４０ＭＨｚ及び８０ＭＨｚの帯域幅上でＢＴＵ及びＳＴＵを割り当てる方法が開示される。
【０１０７】
図３の左側を参照すると、２０ＭＨｚ帯域幅上で２個のＢＴＵ及び５個のＳＴＵが割り当てられる場合が開示される。
【０１０８】
低い周波数帯域から高い周波数帯域まで、左側ガードトーン（ｌｅｆｔ  ｇｕａｒｄ  ｔｏｎｅ）、ＳＴＵ（２６トーン）、ＢＴＵ（５６トーン）、ＳＴＵ（２６トーン）、分割ＳＴＵ（１３トーン）、ＤＣ、分割ＳＴＵ（１３トーン）、ＳＴＵ（２６トーン）、ＢＴＵ（５６トーン）、ＳＴＵ（２６トーン）、右側ガードトーン（ｒｉｇｈｔ  ｇｕａｒｄ  ｔｏｎｅ）が割り当てられることができる。
【０１０９】
図３の中間を参照すると、４０ＭＨｚ帯域幅上で４個のＢＴＵ及び１０個のＳＴＵが割り当てられる場合が開示される。
【０１１０】
低い周波数帯域から高い周波数帯域まで、左側ガードトーン（ｌｅｆｔ  ｇｕａｒｄ  ｔｏｎｅ）、ＳＴＵ（２６トーン）、ＳＴＵ（２６トーン）、ＢＴＵ（５６トーン）、ＳＴＵ（２６トーン）、ＳＴＵ（２６トーン）、ＢＴＵ（５６トーン）、ＳＴＵ（２６トーン）、ＤＣ、ＳＴＵ（２６トーン）、ＢＴＵ（５６トーン）、ＳＴＵ（２６トーン）、ＳＴＵ（２６トーン）、ＢＴＵ（５６トーン）、ＳＴＵ（２６トーン）、ＳＴＵ（２６トーン）、右側ガードトーン（ｒｉｇｈｔ  ｇｕａｒｄ  ｔｏｎｅ）が割り当てられることができる。
【０１１１】
図３の右側を参照すると、８０ＭＨｚ帯域幅上で８個のＢＴＵ及び２１個のＳＴＵが割り当てられる場合が開示される。
【０１１２】
低い周波数帯域から高い周波数帯域まで、左側ガードトーン（ｌｅｆｔ  ｇｕａｒｄ  ｔｏｎｅ）、ＳＴＵ（２６トーン）、ＳＴＵ（２６トーン）、ＢＴＵ（５６トーン）、ＳＴＵ（２６トーン）、ＳＴＵ（２６トーン）、ＢＴＵ（５６トーン）、ＳＴＵ（２６トーン）、ＳＴＵ（２６トーン）、ＢＴＵ（５６トーン）、ＳＴＵ（２６トーン）、ＳＴＵ（２６トーン）、ＢＴＵ（５６トーン）、ＳＴＵ（２６トーン）、ＳＴＵ（２６トーン）、分割ＳＴＵ（１３トーン）、ＤＣ、分割ＳＴＵ（１３トーン）、ＳＴＵ（２６トーン）、ＳＴＵ（２６トーン）、ＢＴＵ（５６トーン）、ＳＴＵ（２６トーン）、ＳＴＵ（２６トーン）、ＢＴＵ（５６トーン）、ＳＴＵ（２６トーン）、ＳＴＵ（２６トーン）、ＢＴＵ（５６トーン）、ＳＴＵ（２６トーン）、ＳＴＵ（２６トーン）、ＢＴＵ（５６トーン）、ＳＴＵ（２６トーン）、ＳＴＵ（２６トーン）、右側ガードトーン（ｒｉｇｈｔ  ｇｕａｒｄ  ｔｏｎｅ）が割り当てられることができる。
【０１１３】
前述したように、２６トーンのＳＴＵは、結合されて５２トーンの組み合わせＳＴＵを形成することもでき、分割されて１３トーンが分割ＳＴＵを形成することもできる。５６トーンのＢＴＵは、２個の２８トーンの分割ＢＴＵに分割（または、２個の２６トーンのＳＴＵ及び４個のレフトオーバートーンに分割）されることもでき、４個の１４トーンの分割ＢＴＵに分割されることもできる。
【０１１４】
本発明の他の実施例によると、８０ＭＨｚ帯域幅上で１１４トーンの６個のＢＴＵと２６トーンの１２個のＳＴＵが割り当てられることもできる。
【０１１５】
低い周波数帯域から高い周波数帯域まで、左側ガードトーン（ｌｅｆｔ  ｇｕａｒｄ  ｔｏｎｅ）、ＳＴＵ（２６トーン）、ＢＴＵ（１１４トーン）、ＳＴＵ（２６トーン）、ＳＴＵ（２６トーン）、ＢＴＵ（１１４トーン）、ＳＴＵ（２６トーン）、ＳＴＵ（２６トーン）、ＢＴＵ（１１４トーン）、ＳＴＵ（２６トーン）、ＤＣ、ＳＴＵ（２６トーン）、ＢＴＵ（１１４トーン）、ＳＴＵ（２６トーン）、ＳＴＵ（２６トーン）、ＢＴＵ（１１４トーン）、ＳＴＵ（２６トーン）、ＳＴＵ（２６トーン）、ＢＴＵ（１１４トーン）、ＳＴＵ（２６トーン）、右側ガードトーン（ｒｉｇｈｔ  ｇｕａｒｄ  ｔｏｎｅ）が割り当てられることができる。
【０１１６】
前述したように、２６トーンのＳＴＵは、結合されて５２トーンの組み合わせＳＴＵを形成することもでき、分割されて１３トーンが分割ＳＴＵを形成することもできる。１１４トーンのＢＴＵは、２個の５７トーンの分割ＢＴＵに分割されることもでき、３個の３８トーンの分割ＢＴＵに分割されることもできる。
【０１１７】
図４では、本発明の実施例に係る仮想割当リソース単位を割り当てる方法が開示される。
【０１１８】
図４では、２０ＭＨｚ帯域幅上でのリソース割当が開示される。説明の便宜上、全体帯域幅上でのレフトオーバートーンは、表示しない。
【０１１９】
図４の下段を参照すると、２０ＭＨｚ帯域幅上でＤＣトーン及びガードトーンを除外した２４２トーンが割り当てられることができる。そのとき、一側でガードトーンとして６トーンが使われ、他側でガードトーンとして５トーンが使われることができる。また、ＤＣトーンとして３トーンが使われることができる。２４２トーンは、１個のＳＴＡの無線リソースとして割り当てられることができる。
【０１２０】
図４の中段を参照すると、全体２４２トーンが分割されて４個の組み合わせＳＴＵ単位、１個のＳＴＵが割り当てられることができる。前述したように、複数のＳＴＵが結合されて一つの組み合わせＳＴＵ単位を形成することができる。
【０１２１】
２０ＭＨｚ帯域幅上で２個のＢＴＵ及び５個のＳＴＵが可能な場合、２個のＢＴＵは、分割されて４個のＳＴＵに分割されることができる。したがって、２０ＭＨｚ帯域幅上で９個のＳＴＵが割り当てられることができ、９個のＳＴＵのうち、８個のＳＴＵが２個のＳＴＵ単位ずつ組み合わせて４個の組み合わせＳＴＵ（組み合わせＳＴＵ１、組み合わせＳＴＵ２、組み合わせＳＴＵ３、組み合わせＳＴＵ４）を形成することができる。また、ＤＣトーンを中心にして１個のＳＴＵが分割されて２個の分割ＳＴＵ（分割ＳＴＵ１、分割ＳＴＵ２）が形成されることができる。
【０１２２】
低い周波数帯域から高い周波数帯域まで、第１のガードトーン（または、左側ガードトーン）、組み合わせＳＴＵ１（５２トーン）、組み合わせＳＴＵ２（５２トーン）、分割ＳＴＵ１（１３トーン）、ＤＣトーン、分割ＳＴＵ２（１３トーン）、組み合わせＳＴＵ３（５２トーン）、組み合わせＳＴＵ４（５２トーン）、第２のガードトーン（または、右側ガードトーン）が割り当てられることができる。
【０１２３】
図４の上段を参照すると、２０ＭＨｚ帯域幅上で２個のＢＴＵ及び５個のＳＴＵが可能な場合、２個のＢＴＵは、分割されて４個のＳＴＵに分割されることができる。したがって、２０ＭＨｚ帯域幅上で９個のＳＴＵが割り当てられることができ、９個のＳＴＵのうち、８個のＳＴＵ（ＳＴＵ１〜ＳＴＵ８）は、そのまま使われ、残りの１個のＳＴＵは、ＤＣトーンに隣接して２個の分割ＳＴＵ（分割ＳＴＵ１、分割ＳＴＵ２）に分割されることができる。
【０１２４】
低い周波数帯域から高い周波数帯域まで、第１のガードトーン（または、左側ガードトーン）、ＳＴＵ１（２６トーン）、ＳＴＵ２（２６トーン）、ＳＴＵ３（２６トーン）、ＳＴＵ４（２６トーン）、分割ＳＴＵ１（１３トーン）、ＤＣ、分割ＳＴＵ２（１３トーン）、ＳＴＵ５（２６トーン）、ＳＴＵ６（２６トーン）、ＳＴＵ７（２６トーン）、ＳＴＵ８（２６トーン）、第２のガードトーン（または、右側ガードトーン）が割り当てられることができる。
【０１２５】
図５では、本発明の実施例に係る仮想割当リソース単位を割り当てる方法が開示される。
【０１２６】
図５では、４０ＭＨｚ帯域幅上でのリソース割当が開示される。説明の便宜上、全体帯域幅上でのレフトオーバートーンは、表示しない。
【０１２７】
図５の下段を参照すると、４０ＭＨｚ帯域幅上でＤＣトーン及びガードトーンを除外した４８４トーンが割り当てられることができる。例えば、左側ガードトーン（または、右側ガードトーン）として１２トーンが使われ、右側ガードトーン（または、左側ガードトーン）として１１トーンが使われることができる。また、ＤＣトーンとして５トーンが使われることができる。４８４トーンは、１個のＳＴＡの無線リソースとして割り当てられ、または４８４トーンを構成する２個の２４２トーンの各々が２個のＳＴＡの各々の無線リソースとして割り当てられることができる。
【０１２８】
図５の中段を参照すると、全体４８４トーンが分割されて４８４トーン上で８個の５２トーンの組み合わせＳＴＵ及び２個の２６トーンのＳＴＵが割り当てられることができる。
【０１２９】
４０ＭＨｚ帯域幅上で４個のＢＴＵ及び１０個のＳＴＵが可能な場合、４個のＢＴＵは、分割されて８個のＳＴＵに分割されることができる。このような場合、１８個のＳＴＵが４０ＭＨｚ帯域幅上で割り当てられることができる。１８個のＳＴＵのうち、１６個のＳＴＵは、組み合わせて８個の５２トーンの組み合わせＳＴＵ（組み合わせＳＴＵ１乃至組み合わせＳＴＵ８）を形成して帯域幅上で割り当てられ、残りの２個のＳＴＵ（ＳＴＵ１、ＳＴＵ２）は、そのまま帯域幅上で割り当てられることができる。
【０１３０】
例えば、低い周波数帯域から高い周波数帯域まで、第１のガードトーン（または、左側ガードトーン）、組み合わせＳＴＵ１、組み合わせＳＴＵ２、ＳＴＵ１、組み合わせＳＴＵ３、組み合わせＳＴＵ４、ＤＣ、組み合わせＳＴＵ５、組み合わせＳＴＵ６、ＳＴＵ２、組み合わせＳＴＵ７、組み合わせＳＴＵ８、第２のガードトーン（または、右側ガードトーン）が割り当てられることができる。
【０１３１】
図５の上段を参照すると、全体４８４トーンが分割されて４８４トーン上で１８個の２６トーンのＳＴＵが割り当てられることができる。
【０１３２】
４０ＭＨｚ帯域幅上で４個のＢＴＵ及び１０個のＳＴＵが可能な場合、４個のＢＴＵは、分割されて８個のＳＴＵに分割されることができる。このような場合、総１８個のＳＴＵ（ＳＴＵ１〜ＳＴＵ１８）が４０ＭＨｚ帯域幅上で割り当てられることができる。
【０１３３】
例えば、低い周波数帯域から高い周波数帯域まで、第１のガードトーン、ＳＴＵ１、ＳＴＵ２、ＳＴＵ３、ＳＴＵ４、ＳＴＵ５、ＳＴＵ６、ＳＴＵ７、ＳＴＵ８、ＳＴＵ９、ＤＣ、ＳＴＵ１０、ＳＴＵ１１、ＳＴＵ１２、ＳＴＵ１３、ＳＴＵ１４、ＳＴＵ１５、ＳＴＵ１６、ＳＴＵ１７、ＳＴＵ１８、第２のガードトーンが割り当てられることができる。
【０１３４】
以下、本発明の実施例では、既存のグラニュラリティ（または、粒状度）（ｇｒａｎｕｌａｒｉｔｙ）に基づくセミスタティック（ｓｅｍｉ−ｓｔａｔｉｃ）またはスケーラブル（ｓｃａｌａｂｌｅ）ＯＦＤＭＡ割当方法が開示される。
【０１３５】
既存無線ＬＡＮに存在する無線リソースのグラニュラリティは、２６トーン、５６トーン、１１４トーン、２４２トーンなどがある。２４２トーンより大きいリソース割当単位は、複数個の２４２トーンのリソース割当単位に基づいて割り当てられることができる。２４２トーンの２倍（４８４トーン）、２４２トーンの４倍（９６８トーン）のような大きさのリソース割当単位が使われることができる。
【０１３６】
２４２トーンのリソース割当単位をリソース割当単位のうち最も大きいリソース単位と仮定してリソース割当が実行されることができる。
【０１３７】
最も大きいリソース割当単位である２４２トーンのリソース割当単位に基づいて帯域幅の大きさによって、以下のようなリソース割当が実行されることができる。以下、２４２トーンのリソース割当単位を基本リソース割当単位という用語で表現する。基本リソース割当単位は、２４２トーンでない異なる個数のトーンが割り当てられたリソース割当単位であってもよく、このような実施例も本発明の権利範囲に含まれることができる。例えば、基本リソース割当単位の大きさは、既存の無線ＬＡＮシステムで使われた他のインターリーバサイズ（１０８、５２、２４等）に基づいて決定されることもできる。
【０１３８】
図６は、本発明の実施例に係るリソース割当方法を示す概念図である。
【０１３９】
図６では、基本リソース割当単位に基づくリソース割当が開示される。２４２トーンの基本リソース割当単位は、２個の１２１トーンの分割基本リソース割当単位に分割されてＤＣトーンに隣接したリソース領域に位置できる。
【０１４０】
図６の左側では、２０ＭＨｚ帯域幅上で２４２トーンのリソース割当単位に基づくリソース割当が開示される。
【０１４１】
図６の左側を参照すると、２０ＭＨｚ帯域幅上で左側ガードトーン、分割基本リソース割当単位１（１２１）、ＤＣ、分割基本リソース割当単位２（１２１）及び右側ガードトーンが割り当てられることができる。
【０１４２】
図６の中間では、４０ＭＨｚ帯域幅上で４８４トーンのリソース割当単位に基づくリソース割当が開示される。
【０１４３】
図６の中間を参照すると、４０ＭＨｚ帯域幅上で左側ガードトーン、基本リソース割当単位１（２４２）、ＤＣ、基本リソース割当単位２（２４２）及び右側ガードトーンが割り当てられることができる。または、４０ＭＨｚ帯域幅上で左側ガードトーン、基本リソース割当単位１（２４２）、ＳＴＵ（７）、ＤＣ、ＳＴＵ（７）、基本リソース割当単位２（２４２）及び右側ガードトーンが割り当てられることができる。ＳＴＵは、７トーンでない異なる個数のトーンに対応されるリソース単位であってもよい。
【０１４４】
図６の右側では、８０ＭＨｚ帯域幅上で９６８トーンのリソース割当単位に基づくリソース割当が開示される。
【０１４５】
図６の右側を参照すると、８０ＭＨｚ帯域幅上で左側ガードトーン、基本リソース割当単位１（２４２）、基本リソース割当単位２（２４２）、ＤＣ、分割基本リソース割当単位３（２４２）、分割基本リソース割当単位４（２４２）及び右側ガードトーンが割り当てられることができる。または、８０ＭＨｚ帯域幅上で左側ガードトーン、基本リソース割当単位１（２４２）、ＳＴＵ（１３）、基本リソース割当単位２（２４２）、ＤＣ、分割基本リソース割当単位３（２４２）、ＳＴＵ（１３）、分割基本リソース割当単位４（２４２）及び右側ガードトーンが割り当てられることができる。ＳＴＵは、１３トーンでない異なる個数のトーンに対応されるリソース単位であってもよい。
【０１４６】
左側ガードトーン、右側ガードトーン、ＤＣトーンに割り当てられた一部のトーンは、リソース単位間に割り当てられてユーザ割当分離（ｕｓｅｒ  ａｌｌｏｃａｔｉｏｎ  ｓｅｐａｒａｔｉｏｎ）（または、ＳＴＡ別リソース割当）、一般パイロット（ｃｏｍｍｏｎ  ｐｉｌｏｔ）、ＡＧＣ（ａｕｔｏｍａｔｉｃ  ｇａｉｎ  ｃｏｎｔｒｏｌ）、位相トラッキング（ｐｈａｓｅ  ｔｒａｃｋｉｎｇ）などの用途で使われることができる。
【０１４７】
また、４０ＭＨｚ、８０ＭＨｚより小さい帯域幅をサポートする端末（例えば、２０ＭＨｚ帯域幅をサポートする端末）をサポートするために、４０ＭＨｚ、８０ＭＨｚの各々の帯域幅上に割り当てられた一部の基本リソース割当単位は、ＤＣトーンまたはガードトーンのためのヌルトーン（ｎｕｌｌ  ｔｏｎｅ）を含むことができる。
【０１４８】
例えば、２０ＭＨｚ帯域幅をサポートする端末は、４０ＭＨｚ帯域幅上の２４２トーンの一つの基本リソース割当単位の割当を受けることができる。しかし、基本リソース割当単位上にはＤＣトーン及びガードトーンが含まれていない。したがって、基本リソース割当単位に含まれる２４２トーンのうち一部のトーンは、２０ＭＨｚ帯域幅をサポートする端末のためにＤＣトーン及び／またはガードトーンとして活用されることができるようにするためのヌルトーンを挿入することができる。
【０１４９】
図６に示す基本リソース割当単位、分割基本リソース割当単位、ＳＴＵの位置は、全体帯域幅上で異なるように割り当てられることもできる。
【０１５０】
基本リソース割当単位は、相対的に小さい複数個の分割基本リソース割当単位に分割されることもできる。
【０１５１】
図７は、本発明の実施例に係るリソース割当方法を示す概念図である。
【０１５２】
図７では、基本リソース割当単位が相対的に小さい複数個の分割基本リソース割当単位に分割される方法が開示される。分割基本リソース割当単位は、５６トーンまたは１１４トーンのＢＴＵまたは２６トーンのＳＴＵと仮定する。
【０１５３】
図７を参照すると、基本リソース割当単位は、多様な大きさの複数個の分割基本リソース割当単位に分割されることができる。
【０１５４】
ケース１では、２４２トーンの基本リソース割当単位が分割されずに使われる場合が開示される。２４２トーンの基本リソース割当単位は、一つの単位で使われて１個のＳＴＡの無線リソースとして割り当てられることができる。基本リソース割当単位が使われる場合、基本のインターリーバサイズ（２３４サイズ）に基づいてインターリービングされることができ、既存と同じ位置に８個のパイロットトーンが挿入されることができる。
【０１５５】
ケース２では、２４２トーンの基本リソース割当単位が２個のＢＴＵ及び５個のＳＴＵに分割される場合が開示される。即ち、２４２トーンの基本リソース割当単位は、２個の５６トーンのＢＴＵ及び５個の２６トーンのＳＴＵに分割されることができる。２個のＢＴＵ及び５個のＳＴＵの各々は、２４２トーン上であらかじめ設定された位置に割り当てられ、または流動的に２４２トーン上で位置できる。
【０１５６】
ケース３では、２４２トーンの基本リソース割当単位が９個のＳＴＵに分割される場合が開示される。即ち、２４２トーンの基本リソース割当単位は、９個の２６トーンのＳＴＵに分割されることができる。このような場合、８個のレフトオーバートーンが残るようになる。８個のレフトオーバートーンは、パイロットトーン、ユーザ割当分離、ガードトーン、ＡＧＣまたは位相トラッキングのためのトーン等で活用されることができる。ケース３では、具体的に、左側ガードトーン（６）、レフトオーバートーン（１）、ＳＴＵ１（２６）、ＳＴＵ２（２６）、レフトオーバートーン（１）、ＳＴＵ３（２６）、ＳＴＵ４（２６）、分割ＳＴＵ１（１３）、ＤＣ（７）、分割ＳＴＵ２（１３）、ＳＴＵ５（２６）、ＳＴＵ６（２６）、レフトオーバートーン（１）、ＳＴＵ７（２６）、ＳＴＵ８（２６）、レフトオーバートーン（１）、右側ガードトーン（５）が全体帯域幅上で割り当てられることができる。レフトオーバートーンは、エネルギーがないトーンである。
【０１５７】
ケース４では、２４２トーンの基本リソース割当単位が２個の１１４トーンのＢＴＵに分割される場合が開示される。２４２トーンの基本リソース割当単位が２個の１１４トーンのＢＴＵに分割される場合、１４個のレフトオーバートーンが残るようになる。１４個のレフトオーバートーンは、パイロットトーン、ユーザ割当分離、ガードトーン、ＡＧＣまたは位相トラッキングのためのトーン等で活用されることができる。
【０１５８】
ケース５では、２４２トーンの基本リソース割当単位が２個の１１４トーンのＢＴＵ及び１４単位の新しいリソース割当単位に分割される場合が開示される。２４２トーンの基本リソース割当単位が２個の１１４トーンのＢＴＵに分割され、残る１４個トーンは、一つのリソース割当単位として使われることができる。
【０１５９】
本発明の実施例によると、各ＯＦＤＭシンボル単位またはフレーム単位でリソース割当に対する情報が送信されることができる。例えば、ＡＰは、フレームの送信のための基本リソース割当単位の分割（または、基本リソース割当単位の構成）に対する情報をＳＴＡに送信することができる。他の例として、ＡＰは、ＯＦＤＭシンボル上の基本リソース割当単位の分割（または、基本リソース割当単位の構成）に対する情報をＳＴＡに送信することができる。
【０１６０】
基本リソース割当単位の構成に対する情報は、フレームのＭＡＣ（ｍｅｄｉｕｍ  ａｃｃｅｓｓ  ｃｏｎｔｒｏｌ）ヘッダのＳＩＧ（ｓｉｇｎａｌ）フィールドを介して送信され、またはトリガフレームのような別途のフレームを介して送信されることもできる。
【０１６１】
全体帯域幅上の複数の基本リソース割当単位の各々は、同じ方式で構成（または、分割）されることができる。このような場合、一つの基本リソース割当単位の構成に対する情報が全体帯域幅上に位置した複数の基本リソース割当単位の各々の構成と関連することもある。
【０１６２】
または、全体帯域幅上の複数の基本リソース割当単位の各々は、互いに異なる方式で構成（または、分割）されることができる。このような場合、全体帯域幅上に位置した複数の基本リソース割当単位の各々の構成と関連した基本リソース割当単位の構成に対する情報がシグナリングされることができる。
【０１６３】
基本リソース割当単位の構成に対する情報を送信するシグナリングビットは、１〜３ビットで構成されることができる。例えば、基本リソース割当単位の構成に対する情報を送信するシグナリングビットは、前述したように、ケース１乃至ケース５のうち一つを指示することができる。
【０１６４】
前記のように、２４２トーンの基本リソース割当単位でリソース割当が実行される場合、ＭＵ−ＭＩＭＯのためのリソースも２４２トーンの基本リソース割当単位で割り当てられることができる。追加的に、ＭＵ−ＭＩＭＯのための基本リソース割当単位の構成であることを指示する指示子に基づいてＭＵ−ＭＩＭＯのための基本リソース割当単位の構成に対する情報が送信されることができる。
【０１６５】
また、２４２トーンの基本リソース割当単位がＳＵ（ｓｉｎｇｌｅ  ｕｓｅｒ）送信にそのまま適用されてユーザに割り当てられることもできる。即ち、ＳＵ／ＭＵ  ＯＦＤＭＡ送信及びＭＵ−ＭＩＭＯ送信のために、基本リソース割当単位が統合された構造（ｕｎｉｆｉｅｄ  ｓｔｒｕｃｔｕｒｅ）で適用されることができる。
【０１６６】
また、ダウンリンク送信のためのリソース割当及びアップリンク送信のためのリソース割当を区分して基本リソース割当単位の構成に対する情報として互いに異なる値がシグナリングされることもできる。
【０１６７】
基本リソース割当単位の構成に対する情報だけでなく、基本リソース割当単位の構成に含まれる複数の分割基本リソース割当単位の各々の複数のＳＴＡへの割当に対する情報（個別ＳＴＡ割当情報）が送信されることができる。個別ＳＴＡ割当情報のためのシグナリングビットのサイズは、変わることができる。例えば、一つの基本リソース割当単位が相対的に多い分割基本リソース割当単位を含む場合、個別ＳＴＡ割当情報のためのシグナリングビットサイズは、相対的に大きい。それに対し、一つの基本リソース割当単位が相対的に小さい分割基本リソース割当単位を含む場合、個別ＳＴＡ割当情報のためのシグナリングビットサイズは、相対的に小さい。
【０１６８】
例えば、ケース１のように基本リソース割当単位が分割されない場合よりケース２のように相対的に多い個数の分割基本リソース割当単位を含む場合、個別ＳＴＡ割当情報のためのシグナリングビットサイズは、相対的に小さくなることができる。
【０１６９】
全体帯域幅上でＳＴＡへのリソース割当は、基本リソース割当単位を基準にすることができ、全体帯域幅を基準にすることもできる。例えば、基本リソース割当単位（例えば、２４２トーン）単位でｘ名のための無線リソースが割り当てられ、基本リソース割当単位がスケーラブルに全体帯域幅に拡張されることができる。
【０１７０】
バンド選択ゲイン（ｂａｎｄ  ｓｅｌｅｃｔｉｏｎ  ｇａｉｎ）、ダイバーシティゲイン（ｄｉｖｅｒｓｉｔｙ  ｇａｉｎ）などを理由で、１個のＳＴＡが複数の基本リソース割当単位の各々からリソースの割当を受けることもできる。したがって、複数個の基本リソース割当単位を含む全体帯域幅を基準にして無線リソースが割り当てられることもできる。
【０１７１】
全体帯域幅を基準にしてリソース割当に対する情報がシグナリングされる場合、最もサイズが大きい（または、最も小さい、またはある形態のあらかじめ定めておく）リソース単位から順次に配列して論理的（ｌｏｇｉｃａｌｌｙ）（または、仮想的（ｖｉｒｔｕａｌ））にグルーピングした後、個別グループに対するシグナリングを介してシグナリングオーバーヘッドを減少させることができる。例えば、複数個のＢＴＵが仮想的にグルーピングされて１個のＢＴＵグループが生成され、複数個のＳＴＵが仮想的にグルーピングされて１個のＳＴＵグループが生成されることができる。ＳＴＡに割り当てられるＢＴＵは、ＢＴＵグループに基づいて指示され、ＳＴＡに割り当てられるＳＴＵは、ＳＴＵグループに基づいて指示されることができる。
【０１７２】
本発明の実施例によると、ＯＦＤＭＡとＭＵ−ＭＩＭＯのようなＭＵ送信がサポートされる場合、システムのオーバーヘッドなどを考慮して一つのシンボルまたは一つのフレームで同時にサポート可能な最大割当数（または、最大ＳＴＡの数）が制限されることができる。
【０１７３】
ＭＵ−ＯＦＤＭＡ送信、ＭＵ−ＭＩＭＯ送信が２４２トーンの基本リソース割当単位に基づいて実行される場合が仮定されることができる。ＭＵ−ＯＦＤＭＡ送信時に基本リソース割当単位に最大割当可能なＳＴＡの数は、Ｘ＿ＯＦＤＭＡと定義され、ＭＵ−ＭＩＭＯ送信時に基本リソース割当単位に最大割当可能なＳＴＡの数は、Ｘ＿ＭＩＭＯと定義されることができる。
【０１７４】
各帯域幅の大きさ別最大割当可能なＳＴＡの個数は、下記の通りである。
【０１７５】
２０ＭＨｚ帯域幅に対してｍａｘ（Ｘ＿ＯＦＤＭＡ、Ｘ＿ＭＵ−ＭＩＭＯ）が帯域幅上で最大割当可能なＳＴＡの個数でありうる。
【０１７６】
４０ＭＨｚ帯域幅に対してｍａｘ（Ｘ＿ＯＦＤＭＡ、Ｘ＿ＭＵ−ＭＩＭＯ）＊２またはｍａｘ（Ｘ＿ＯＦＤＭＡ、Ｘ＿ＭＵ−ＭＩＭＯ）＊２＋１（もし、追加的なリソース割当単位が存在する場合）が帯域幅上で最大割当可能なＳＴＡの個数である。
【０１７７】
８０ＭＨｚ帯域幅に対してｍａｘ（Ｘ＿ＯＦＤＭＡ、Ｘ＿ＭＵ−ＭＩＭＯ）＊４またはｍａｘ（Ｘ＿ＯＦＤＭＡ、Ｘ＿ＭＵ−ＭＩＭＯ）＊４＋１（もし、追加的なリソース割当単位が存在する場合）が帯域幅上で最大割当可能なＳＴＡの個数である。
【０１７８】
即ち、ＭＵ−ＯＦＤＭＡ送信時に基本リソース割当単位で割当可能な最大ＳＴＡの個数、ＭＵ−ＭＩＭＯ送信時に基本リソース割当単位で割当可能な最大ＳＴＡの個数のうち、最大値が基本リソース割当リソース単位で割当可能な最大ＳＴＡの個数である。
【０１７９】
もし、Ｘ＿ＯＦＤＭＡ＝９（例えば、基本リソース割当単位に割り当てられた９個のＳＴＵ（２６））、Ｘ＿ＭＵ−ＭＩＭＯ＝４（２４２でない異なる大きさの追加割当リソース単位に対してはＭＵ−ＭＩＭＯをしない）とする場合、帯域幅の大きさ別に最大割当可能なＳＴＡの個数は、２０ＭＨｚ帯域幅に対してｍａｘ（９、４）＝９であり、４０ＭＨｚ帯域幅に対して１８または１９であり、８０ＭＨｚ帯域幅に対して３６または３７である。
【０１８０】
ユーザの数の増加によるシグナリングオーバーヘッドを減少させるために帯域幅の大きさによって最大割当可能なＳＴＡの個数が制限されることができる。
【０１８１】
以下のＭＡＸ＿ａｌｌｏｃは、ＭＵ−ＯＦＤＭＡ送信及び／またはＭＵ−ＭＩＭＯ送信に基づいて全体帯域幅上で最大割当可能なＳＴＡの個数である。
【０１８２】
２０ＭＨｚ帯域幅に対してｍｉｎ（ＭＡＸ＿ａｌｌｏｃ、ｍａｘ（Ｘ＿ＯＦＤＭＡ、Ｘ＿ＭＵ−ＭＩＭＯ））が最大割当可能なＳＴＡの個数である。
【０１８３】
４０ＭＨｚ帯域幅に対してｍｉｎ（ＭＡＸ＿ａｌｌｏｃ、ｍａｘ（Ｘ＿ＯＦＤＭＡ、Ｘ＿ＭＵ−ＭＩＭＯ）＊２）が最大割当可能なＳＴＡの個数である。
【０１８４】
８０ＭＨｚ帯域幅に対してｍｉｎ（ＭＡＸ＿ａｌｌｏｃ、ｍａｘ（Ｘ＿ＯＦＤＭＡ、Ｘ＿ＭＵ−ＭＩＭＯ）＊４）が最大割当可能なＳＴＡの個数である。
【０１８５】
ユーザの数の増加によるシグナリングオーバーヘッドを減少させるために帯域幅の大きさによって最大割当可能なＳＴＡの個数が下記のように制限されることもできる。
【０１８６】
２０ＭＨｚ帯域幅に対してｍａｘ（Ｘ＿ＯＦＤＭＡ、Ｘ＿ＭＵ−ＭＩＭＯ）が最大割当可能なＳＴＡの個数である。
【０１８７】
４０ＭＨｚ帯域幅に対してｍａｘ（Ｘ＿ＯＦＤＭＡ、Ｘ＿ＭＵ−ＭＩＭＯ）＊２またはｍａｘ（Ｘ＿ＯＦＤＭＡ、Ｘ＿ＭＵ−ＭＩＭＯ）＊２＋１が最大割当可能なＳＴＡの個数である。
【０１８８】
８０ＭＨｚ帯域幅に対してｍａｘ（Ｘ＿ＯＦＤＭＡ、Ｘ＿ＭＵ−ＭＩＭＯ）＊２またはｍａｘ（Ｘ＿ＯＦＤＭＡ、Ｘ＿ＭＵ−ＭＩＭＯ）＊２＋１が最大割当可能なＳＴＡの個数である。
【０１８９】
即ち、４０ＭＨｚ及び８０ＭＨｚ帯域幅に対してｍａｘ（Ｘ＿ＯＦＤＭＡ、Ｘ＿ＭＵ−ＭＩＭＯ）＊２またはｍａｘ（Ｘ＿ＯＦＤＭＡ、Ｘ＿ＭＵ−ＭＩＭＯ）＊２＋１に制限することができる。
【０１９０】
他の方法として、帯域幅の大きさ別にＸ＿ＯＦＤＭＡとＸ＿ＭＵ−ＭＩＭＯを互いに異なるように設定することができる。
【０１９１】
２０ＭＨｚ帯域幅上でＭＵ−ＯＦＤＭＡ送信時に基本リソース割当単位に最大割当可能なＳＴＡの数がＸ＿ＯＦＤＭＡ＿２０に定義され、ＭＵ−ＭＩＭＯ送信時に基本リソース割当単位に最大割当可能なＳＴＡの数がＸ＿ＭＵ−ＭＩＭＯ＿２０に定義されることができる。
【０１９２】
４０ＭＨｚ帯域幅上でＭＵ−ＯＦＤＭＡ送信時に基本リソース割当単位に最大割当可能なＳＴＡの数がＸ＿ＯＦＤＭＡ＿４０に定義され、ＭＵ−ＭＩＭＯ送信時に基本リソース割当単位に最大割当可能なＳＴＡの数がＸ＿ＭＵ−ＭＩＭＯ＿４０に定義されることができる。
【０１９３】
８０ＭＨｚ帯域幅上でＭＵ−ＯＦＤＭＡ送信時に基本リソース割当単位に最大割当可能なＳＴＡの数がＸ＿ＯＦＤＭＡ＿８０に定義され、ＭＵ−ＭＩＭＯ送信時に基本リソース割当単位に最大割当可能なＳＴＡの数がＸ＿ＭＵ−ＭＩＭＯ＿８０に定義されることができる。
【０１９４】
２０ＭＨｚ帯域幅に対してｍａｘ（Ｘ＿ＯＦＤＭＡ＿２０、Ｘ＿ＭＵ−ＭＩＭＯ＿２０）が最大割当可能なＳＴＡの個数である。
【０１９５】
４０ＭＨｚ帯域幅に対してｍａｘ（Ｘ＿ＯＦＤＭＡ＿４０、Ｘ＿ＭＵ−ＭＩＭＯ＿４０）＊２が最大割当可能なＳＴＡの個数である。
【０１９６】
８０ＭＨｚ帯域幅に対してｍａｘ（Ｘ＿ＯＦＤＭＡ＿８０、Ｘ＿ＭＵ−ＭＩＭＯ＿８０）＊４が最大割当可能なＳＴＡの個数である。
【０１９７】
例えば、Ｘ＿ＯＦＤＭＡ＿２０＝９、Ｘ＿ＯＦＤＭＡ＿４０＝９、Ｘ＿ＯＦＤＭＡ＿８０＝５、Ｘ＿ＭＵ−ＭＩＭＯ＿２０＝８、Ｘ＿ＭＵ＿ＭＩＭＯ＿４０＝８（または、４）、Ｘ＿ＭＵ＿ＭＩＭＯ＿８０＝４である。
【０１９８】
２０ＭＨｚ帯域幅に対してｍａｘ（９、８）＝９が最大割当可能なＳＴＡの個数である。
【０１９９】
４０ＭＨｚ帯域幅に対してｍａｘ（９、８）＊２＝１８が最大割当可能なＳＴＡの個数である。
【０２００】
８０ＭＨｚ帯域幅に対してｍａｘ（５、４）＊４＝２０が最大割当可能なＳＴＡの個数である。
【０２０１】
以下、本発明の実施例では、ＢＴＵ及びＳＴＵに基づく他のリソース割当方法が開示される。
【０２０２】
ＢＴＵ及びＳＴＵは、以下の表４のように定義されることができる。
【０２０３】
【表４】
0006282781.tif 000005
【０２０４】
表４を参照すると、２０ＭＨｚ帯域幅に対して５６トーン（データトーン５２、パイロットトーン４）のＢＴＵが割り当てられることができる。４０ＭＨｚ帯域幅に対して５６トーン（データトーン５２、パイロットトーン４）（多いリソース割当が必要な場合）または１１４トーン（データトーン１０８、パイロットトーン６）（相対的に少ないレフトオーバートーンを残す）のＢＴＵが割り当てられることができる。８０ＭＨｚ帯域幅に対して１１４トーン（データトーン１０８、パイロットトーン６）のＢＴＵが割り当てられることができる。
【０２０５】
ＳＴＵの場合、全体帯域幅の大きさと関係無しで７個のトーンが割り当てられることができる。２個のＳＴＵが結合されて生成された１４個のトーン（データトーン１２、パイロットトーン２）が最小リソース割当単位（または、最小グラニュラリティ（ｇｒａｎｕｌａｒｉｔｙ））として使われることができる。
【０２０６】
表４を参照すると、１１４トーンが使われる場合、レフトオーバートーン無しでリソース割当が実行されることができる。
【０２０７】
図８は、本発明の実施例に係るリソース割当方法を示す概念図である。
【０２０８】
図８では、２０ＭＨｚ帯域の２５６トーンに対するリソース割当が開示される。
【０２０９】
図８を参照すると、ＢＴＵは５６トーンに対応されるリソース単位であり、ＳＴＵは７トーンに対応されるリソース単位である。
【０２１０】
２５６トーンのうち、左側ガードトーンと右側ガードトーンのための１１トーン、及びＤＣトーンのための７トーンが除外されると、２３８トーンが残ることができる。２３８トーンは、４個のＢＴＵ及び２個のＳＴＵに割り当てられることができる。
【０２１１】
例えば、２０ＭＨｚ帯域幅上で、左側ガードトーン、ＢＴＵ１、ＳＴＵ１、ＢＴＵ２、ＤＣ、ＢＴＵ３、ＳＴＵ２、ＢＴＵ４及び右側ガードトーンが位置することができる。
【０２１２】
２０ＭＨｚ帯域幅で１個のＳＴＡへのリソース割当が実行される場合、ＳＴＡは、既存の２４２トーンのヌメロロジーに基づいて動作できる。即ち、ＳＴＡは、２４２トーンの仮想割当リソース単位に基づいてＢＴＵ及びＳＴＵのようなリソース分割を考慮せずに動作できる。
【０２１３】
２０ＭＨｚ帯域幅で２個のＳＴＡへのリソース割当が実行される場合、１個のＳＴＡに４個のＢＴＵが割り当てられ、残りの１個のＳＴＡに２個のＳＴＵが割り当てられることができる。
【０２１４】
２０ＭＨｚ帯域幅で３個のＳＴＡへのリソース割当が実行される場合、１個のＳＴＡに２個のＢＴＵが割り当てられ、他の１個のＳＴＡに２個のＢＴＵが割り当てられ、残りの１個のＳＴＡに２個のＳＴＵが割り当てられることができる。
【０２１５】
２０ＭＨｚ帯域幅上で最大５個のＳＴＡへのリソース割当が実行されることができる。
【０２１６】
１個のＢＴＵは、８個のＳＴＵに分割されることができ、２個のＢＴＵは、１６個のＳＴＵに分割されることができる。このような場合、２０ＭＨｚ帯域幅上で２個のＢＴＵ及び１８個のＳＴＵが位置することができる。もし、２０ＭＨｚ帯域幅上でより多いＳＴＡへのリソース割当が必要な場合、ＢＴＵを分割して生成されたＳＴＵに基づいてリソース分割が実行されることができる。
【０２１７】
ＢＴＵに対しては既存の５２サイズのインターリーバを使用したインターリービングが実行されることができ、ＳＴＵに対しては２個のＳＴＵが結合されて生成された１４個のトーン（データトーン１２、パイロットトーン２）に対して１２サイズのインターリーバを使用したインターリービングが実行されることができる。
【０２１８】
図９は、本発明の実施例に係るリソース割当方法を示す概念図である。
【０２１９】
図９では、４０ＭＨｚ帯域の５１２トーンに対するリソース割当が開示される。
【０２２０】
図９を参照すると、ＢＴＵは５６トーンに対応されるリソース単位であり、ＳＴＵは７トーンに対応されるリソース単位である。
【０２２１】
５１２トーンのうち、左側ガードトーンと右側ガードトーンのための１１トーン、及びＤＣトーンのための１１トーンが除外されると、４９０トーンが残ることができる。４９０トーンは、８個のＢＴＵ及び６個のＳＴＵに割り当てられることができる。
【０２２２】
例えば、４０ＭＨｚ帯域幅上で、左側ガードトーン、ＢＴＵ１、ＳＴＵ１、ＢＴＵ２、ＳＴＵ２、ＢＴＵ３、ＳＴＵ３、ＢＴＵ４、ＤＣ、ＢＴＵ５、ＳＴＵ５、ＢＴＵ６、ＳＴＵ６、ＢＴＵ７、ＳＴＵ７、ＢＴＵ８及び右側ガードトーンが位置することができる。
【０２２３】
４０ＭＨｚ帯域幅で１個のＳＴＡへのリソース割当が実行される場合、ＳＴＡは、既存の４８４トーン（２４２トーンの２倍）のヌメロロジーに基づいて動作できる。即ち、ＳＴＡは、４８４トーンの仮想割当リソース単位に基づいてＢＴＵ及びＳＴＵのようなリソース分割を考慮せずに動作できる。
【０２２４】
４０ＭＨｚ帯域幅で２個のＳＴＡへのリソース割当が実行される場合、１個のＳＴＡに８個のＢＴＵが割り当てられ、残りの１個のＳＴＡに６個のＳＴＵが割り当てられることができる。
【０２２５】
４０ＭＨｚ帯域幅で３個のＳＴＡへのリソース割当が実行される場合、１個のＳＴＡに４個のＢＴＵが割り当てられ、他の１個のＳＴＡに４個のＢＴＵが割り当てられ、残りの１個のＳＴＡに６個のＳＴＵが割り当てられることができる。
【０２２６】
４０ＭＨｚ帯域幅上で最大１１個のＳＴＡへのリソース割当が実行されることができる。
【０２２７】
前述したように、１個のＢＴＵは、複数個のＳＴＵに分割され、複数個に分割されたＳＴＵがリソース割当に使われることができる。
【０２２８】
ＢＴＵに対しては既存の５２サイズのインターリーバを使用したインターリービングが実行されることができ、ＳＴＵに対しては２個のＳＴＵが結合されて生成された１４個のトーン（データトーン１２、パイロットトーン２）に対して１２サイズのインターリーバを使用したインターリービングが実行されることができる。
【０２２９】
図１０は、本発明の実施例に係るリソース割当方法を示す概念図である。
【０２３０】
図１０では、４０ＭＨｚ帯域の５１２トーンに対するリソース割当が開示される。
【０２３１】
図１０を参照すると、ＢＴＵは５６トーンに対応されるリソース単位であり、ＳＴＵは７トーンに対応されるリソース単位である。
【０２３２】
５１２トーンのうち、左側ガードトーンと右側ガードトーンのための１１トーン、及びＤＣトーンのための３トーンが除外されると、４９８トーンが残ることができる。４９８トーンは、４個のＢＴＵ及び６個のＳＴＵに割り当てられることができる。
【０２３３】
例えば、４０ＭＨｚ帯域幅上で、左側ガードトーン、ＢＴＵ１、ＳＴＵ１、ＳＴＵ２、ＢＴＵ２、ＳＴＵ３、ＤＣ、ＳＴＵ４、ＢＴＵ３、ＳＴＵ５、ＳＴＵ６、ＢＴＵ４及び右側ガードトーンが位置することができる。
【０２３４】
４０ＭＨｚ帯域幅で１個のＳＴＡへのリソース割当が実行される場合、ＳＴＡは、既存の４８４トーン（２４２トーンの２倍）のヌメロロジーに基づいて動作できる。即ち、ＳＴＡは、４８４トーンの仮想割当リソース単位に基づいてＢＴＵ及びＳＴＵのようなリソース分割を考慮せずに動作できる。または、１個のＳＴＡが４個のＢＴＵ及び６個のＳＴＵの割当を受けて動作することもできる。
【０２３５】
４０ＭＨｚ帯域幅で２個のＳＴＡへのリソース割当が実行される場合、１個のＳＴＡに４個のＢＴＵが割り当てられ、残りの１個のＳＴＡに６個のＳＴＵが割り当てられることができる。
【０２３６】
４０ＭＨｚ帯域幅で３個のＳＴＡへのリソース割当が実行される場合、１個のＳＴＡに２個のＢＴＵが割り当てられ、他の１個のＳＴＡに２個のＢＴＵが割り当てられ、残りの１個のＳＴＡに６個のＳＴＵが割り当てられることができる。または、４０ＭＨｚ帯域幅で３個のＳＴＡへのリソース割当が実行される場合、１個のＳＴＡに４個のＢＴＵが割り当てられ、他の１個のＳＴＡに４個のＳＴＵが割り当てられ、残りの１個のＳＴＡに２個のＳＴＵが割り当てられることができる。
【０２３７】
４０ＭＨｚ帯域幅上で最大７個のＳＴＡへのリソース割当が実行されることができる。
【０２３８】
前述したように、１個のＢＴＵは、複数個のＳＴＵに分割され、複数個に分割されたＳＴＵがリソース割当に使われることができる。
【０２３９】
ＢＴＵに対しては既存の１０８サイズのインターリーバを使用したインターリービングが実行されることができ、ＳＴＵに対しては２個のＳＴＵが結合されて生成された１４個のトーン（データトーン１２、パイロットトーン２）に対して１２サイズのインターリーバを使用したインターリービングが実行されることができる。
【０２４０】
図１１は、本発明の実施例に係るリソース割当方法を示す概念図である。
【０２４１】
図１１では、８０ＭＨｚ帯域の１０２４トーンに対するリソース割当が開示される。
【０２４２】
図１１を参照すると、ＢＴＵは１１４トーンに対応されるリソース単位であり、ＳＴＵは７トーンに対応されるリソース単位である。
【０２４３】
１０２４トーンのうち、左側ガードトーンと右側ガードトーンのための１１トーン、及びＤＣトーンのための３トーンが除外されると、１０１０トーンが残ることができる。１０１０トーンは、８個のＢＴＵ及び１４個のＳＴＵに割り当てられることができる。
【０２４４】
例えば、８０ＭＨｚ帯域幅上で、左側ガードトーン、ＢＴＵ１、ＳＴＵ１、ＳＴＵ２、ＢＴＵ２、ＳＴＵ３、ＳＴＵ４、ＢＴＵ３、ＳＴＵ５、ＳＴＵ６、ＢＴＵ４、ＳＴＵ７、ＤＣ、ＳＴＵ８、ＢＴＵ５、ＳＴＵ９、ＳＴＵ１０、ＢＴＵ６、ＳＴＵ１１、ＳＴＵ１２、ＢＴＵ７、ＳＴＵ１３、ＳＴＵ１４、ＢＴＵ８及び右側ガードトーンが割り当てられることができる。
【０２４５】
８０ＭＨｚ帯域幅で１個のＳＴＡへのリソース割当が実行される場合、ＳＴＡは、既存の９６８トーン（４８４トーンの２倍）のヌメロロジーに基づいて動作できる。即ち、ＳＴＡは、９６８トーンの仮想割当リソース単位に基づいてＢＴＵ及びＳＴＵのようなリソース分割を考慮せずに動作できる。または、１個のＳＴＡが８個のＢＴＵ及び１４個のＳＴＵの割当を受けて動作することもできる。
【０２４６】
８０ＭＨｚ帯域幅で２個のＳＴＡへのリソース割当が実行される場合、１個のＳＴＡに８個のＢＴＵが割り当てられ、残りの１個のＳＴＡに１４個のＳＴＵが割り当てられることができる。
【０２４７】
８０ＭＨｚ帯域幅で３個のＳＴＡへのリソース割当が実行される場合、１個のＳＴＡに４個のＢＴＵが割り当てられ、他の１個のＳＴＡに４個のＢＴＵが割り当てられ、残りの１個のＳＴＡに１４個のＳＴＵが割り当てられることができる。または、８０ＭＨｚ帯域幅で３個のＳＴＡへのリソース割当が実行される場合、１個のＳＴＡに８個のＢＴＵが割り当てられ、他の１個のＳＴＡに１２個のＳＴＵが割り当てられ、残りの１個のＳＴＡに２個のＳＴＵが割り当てられることができる。
【０２４８】
８０ＭＨｚ帯域幅上で最大１５個のＳＴＡへのリソース割当が実行されることができる。
【０２４９】
前述したように、１個のＢＴＵは、複数個のＳＴＵに分割され、複数個に分割されたＳＴＵがリソース割当に使われることができる。
【０２５０】
ＢＴＵに対しては既存の１０８サイズのインターリーバを使用したインターリービングが実行されることができ、ＳＴＵに対しては２個のＳＴＵが結合されて生成された１４個のトーン（データトーン１２、パイロットトーン２）に対して１２サイズのインターリーバを使用したインターリービングが実行されることができる。
【０２５１】
図１２は、本発明の実施例に係るＤＬ  ＭＵ  ＰＰＤＵフォーマットを示す概念図である。
【０２５２】
図１２では、本発明の実施例に係るＡＰによりＯＦＤＭＡに基づいて送信されるＤＬ  ＭＵ  ＰＰＤＵフォーマットが開示される。
【０２５３】
図１２を参照すると、ＤＬ  ＭＵ  ＰＰＤＵのＰＰＤＵヘッダは、Ｌ−ＳＴＦ（ｌｅｇａｃｙ−ｓｈｏｒｔ  ｔｒａｉｎｉｎｇ  ｆｉｅｌｄ）、Ｌ−ＬＴＦ（ｌｅｇａｃｙ−ｌｏｎｇ  ｔｒａｉｎｉｎｇ  ｆｉｅｌｄ）、Ｌ−ＳＩＧ（ｌｅｇａｃｙ−ｓｉｇｎａｌ）、ＨＥ−ＳＩＧ  Ａ（ｈｉｇｈ  ｅｆｆｉｃｉｅｎｃｙ−ｓｉｇｎａｌ  Ａ）、ＨＥ−ＳＩＧ  Ｂ（ｈｉｇｈ  ｅｆｆｉｃｉｅｎｃｙ−ｓｉｇｎａｌ−Ｂ）、ＨＥ−ＳＴＦ（ｈｉｇｈ  ｅｆｆｉｃｉｅｎｃｙ−ｓｈｏｒｔ  ｔｒａｉｎｉｎｇ  ｆｉｅｌｄ）、ＨＥ−ＬＴＦ（ｈｉｇｈ  ｅｆｆｉｃｉｅｎｃｙ−ｌｏｎｇ  ｔｒａｉｎｉｎｇ  ｆｉｅｌｄ）、データフィールド（または、ＭＡＣペイロード）を含むことができる。ＰＨＹヘッダにおいて、Ｌ−ＳＩＧまではレガシ部分（ｌｅｇａｃｙ  ｐａｒｔ）と、Ｌ−ＳＩＧ以後のＨＥ（ｈｉｇｈ  ｅｆｆｉｃｉｅｎｃｙ）部分（ＨＥ  ｐａｒｔ）と、に区分されることができる。
【０２５４】
Ｌ−ＳＴＦ１２００は、短いトレーニングＯＦＤＭシンボル（ｓｈｏｒｔ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＳＴＦ１２００は、フレーム探知（ｆｒａｍｅ  ｄｅｔｅｃｔｉｏｎ）、ＡＧＣ（ａｕｔｏｍａｔｉｃ  ｇａｉｎ  ｃｏｎｔｒｏｌ）、ダイバーシティ探知（ｄｉｖｅｒｓｉｔｙ  ｄｅｔｅｃｔｉｏｎ）、コース周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使われることができる。
【０２５５】
Ｌ−ＬＴＦ１２１０は、長いトレーニングＯＦＤＭシンボル（ｌｏｎｇ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＬＴＦ１２１０は、ファイン周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル予測のために使われることができる。
【０２５６】
Ｌ−ＳＩＧ１２２０は、制御情報を送信するために使われることができる。Ｌ−ＳＩＧ１２２０は、データ送信率（ｒａｔｅ）、データ長さ（ｌｅｎｇｔｈ）に対する情報を含むことができる。
【０２５７】
ＨＥ−ＳＩＧ  Ａ１２３０は、ＤＬ  ＭＵ  ＰＰＤＵを受信するＳＴＡを指示するための情報を含むこともできる。例えば、ＨＥ−ＳＩＧ  Ａ１２３０は、ＰＰＤＵを受信する特定ＳＴＡ（または、ＡＰ）の識別子、特定ＳＴＡのグループを指示するための情報を含むことができる。また、ＨＥ−ＳＩＧ  Ａ１２３０は、ＤＬ  ＭＵ  ＰＰＤＵがＯＦＤＭＡまたはＭＩＭＯに基づいて送信される場合、ＳＴＡのＤＬ  ＭＵ  ＰＰＤＵの受信のためのリソース割当情報も含むことができる。
【０２５８】
また、ＨＥ−ＳＩＧ  Ａ１２３０は、ＢＳＳ識別情報のためのカラービット（ｃｏｌｏｒ  ｂｉｔｓ）情報、帯域幅（ｂａｎｄｗｉｄｔｈ）情報、テールビット（ｔａｉｌ  ｂｉｔ）、ＣＲＣビット、ＨＥ−ＳＩＧ  Ｂ１２４０に対するＭＣＳ（ｍｏｄｕｌａｔｉｏｎ  ａｎｄ  ｃｏｄｉｎｇ  ｓｃｈｅｍｅ）情報、ＨＥ−ＳＩＧ  Ｂ１２４０のためのシンボル個数情報、ＣＰ（ｃｙｃｌｉｃ  ｐｒｅｆｉｘ）（または、ＧＩ（ｇｕａｒｄ  ｉｎｔｅｒｖａｌ））長さ情報を含むこともできる。
【０２５９】
ＨＥ−ＳＩＧ  Ｂ１２４０は、各ＳＴＡに対するＰＳＤＵ（Ｐｈｙｓｉｃａｌ  ｌａｙｅｒ  ｓｅｒｖｉｃｅ  ｄａｔａ  ｕｎｉｔ）の長さＭＣＳに対する情報及びテールビットなどを含むことができる。また、ＨＥ−ＳＩＧ  Ｂ１２４０は、ＰＰＤＵを受信するＳＴＡに対する情報、ＯＦＤＭＡベースのリソース割当（ｒｅｓｏｕｒｃｅ  ａｌｌｏｃａｔｉｏｎ）情報（または、ＭＵ−ＭＩＭＯ情報）を含むこともできる。ＨＥ−ＳＩＧ  Ｂ１２４０にＯＦＤＭＡベースのリソース割当情報（または、ＭＵ−ＭＩＭＯ関連情報）が含まれる場合、ＨＥ−ＳＩＧ  Ａ１２３０にはリソース割当情報が含まれないこともある。
【０２６０】
ＨＥ−ＳＩＧ  Ａ１２３０またはＨＥ−ＳＩＧ  Ｂ１２４０は、前述したように、リソースの割当及び分割に対する情報（例えば、基本リソース割当単位の構成に対する情報）、複数の分割基本リソース割当単位の各々の複数のＳＴＡへの割当に対する情報（個別ＳＴＡ割当情報）などを含むことができる。
【０２６１】
ＤＬ  ＭＵ  ＰＰＤＵ上でＨＥ−ＳＩＧ  Ｂ１２４０の以前フィールドは、互いに異なる送信リソースの各々でデュプリケートされた形態で送信されることができる。ＨＥ−ＳＩＧ  Ｂ１２４０の場合、一部のサブチャネル（例えば、サブチャネル１、サブチャネル２）で送信されるＨＥ−ＳＩＧ  Ｂ１２４０は、個別的な情報を含む独立的なフィールドであり、残りのサブチャネル（例えば、サブチャネル３、サブチャネル４）で送信されるＨＥ−ＳＩＧ  Ｂ１２４０は、他のサブチャネル（例えば、サブチャネル１、サブチャネル２）で送信されるＨＥ−ＳＩＧ  Ｂ１２４０をデュプリケートしたフォーマットである。または、ＨＥ−ＳＩＧ  Ｂ１２４０は、全体送信リソース上でエンコーディングされた形態で送信されることができる。ＨＥ−ＳＩＧ  Ｂ１２４０以後のフィールドは、ＰＰＤＵを受信する複数のＳＴＡの各々のための個別情報を含むことができる。
【０２６２】
ＨＥ−ＳＴＦ１２５０は、ＭＩＭＯ（ｍｕｌｔｉｐｌｅ  ｉｎｐｕｔ  ｍｕｌｔｉｐｌｅ  ｏｕｔｐｕｔ）環境またはＯＦＤＭＡ環境で自動利得制御推定（ａｕｔｏｍａｔｉｃ  ｇａｉｎ  ｃｏｎｔｒｏｌ  ｅｓｔｉｍａｔｉｏｎ）を向上させるために使われることができる。
【０２６３】
具体的に、ＳＴＡ１は、ＡＰからサブバンド１を介して送信されるＨＥ−ＳＴＦ１を受信し、同期化、チャネルトラッキング／予測、ＡＧＣを実行してデータフィールド１をデコーディングすることができる。同様に、ＳＴＡ２は、ＡＰからサブバンド２を介して送信されるＨＥ−ＳＴＦ２を受信し、同期化、チャネルトラッキング／予測、ＡＧＣを実行してデータフィールド２をデコーディングすることができる。ＳＴＡ３は、ＡＰからサブバンド３を介して送信されるＨＥ−ＳＴＦ３を受信し、同期化、チャネルトラッキング／予測、ＡＧＣを実行してデータフィールド３をデコーディングすることができる。ＳＴＡ４は、ＡＰからサブバンド４を介して送信されるＨＥ−ＳＴＦ４を受信し、同期化、チャネルトラッキング／予測、ＡＧＣを実行してデータフィールド４をデコーディングすることができる。
【０２６４】
ＨＥ−ＬＴＦ１２６０は、ＭＩＭＯ環境またはＯＦＤＭＡ環境でチャネルを推定するために使われることができる。
【０２６５】
ＨＥ−ＳＴＦ１２５０及びＨＥ−ＳＴＦ１２５０以後のフィールドに適用されるＩＦＦＴの大きさとＨＥ−ＳＴＦ１２５０以前のフィールドに適用されるＩＦＦＴの大きさは、互いに異なる。例えば、ＨＥ−ＳＴＦ１２５０及びＨＥ−ＳＴＦ１２５０以後のフィールドに適用されるＩＦＦＴの大きさは、ＨＥ−ＳＴＦ１２５０以前のフィールドに適用されるＩＦＦＴの大きさより４倍大きい。ＳＴＡは、ＨＥ−ＳＩＧ  Ａ１２３０を受信し、ＨＥ−ＳＩＧ  Ａ１２３０に基づいてダウンリンクＰＰＤＵの受信指示を受けることができる。このような場合、ＳＴＡは、ＨＥ−ＳＴＦ１２５０及びＨＥ−ＳＴＦ１２５０以後フィールドから変更されたＦＦＴサイズに基づいてデコーディングを実行することができる。それに対し、ＳＴＡがＨＥ−ＳＩＧ  Ａ１２３０に基づいてダウンリンクＰＰＤＵの受信指示を受けていない場合、ＳＴＡは、デコーディングを中断し、ＮＡＶ（ｎｅｔｗｏｒｋ  ａｌｌｏｃａｔｉｏｎ  ｖｅｃｔｏｒ）を設定することができる。ＨＥ−ＳＴＦ１２５０のＣＰ（ｃｙｃｌｉｃ  ｐｒｅｆｉｘ）は、他のフィールドのＣＰより大きい大きさを有することができ、このようなＣＰ区間の間に、ＳＴＡは、ＦＦＴサイズを変化させてダウンリンクＰＰＤＵに対するデコーディングを実行することができる。
【０２６６】
ＡＰ（ａｃｃｅｓｓ  ｐｏｉｎｔ）が全体帯域幅上で複数のＳＴＡ（ｓｔａｔｉｏｎ）の各々のための複数の無線リソースの各々を割り当て、複数のＳＴＡの各々に複数の無線リソースの各々を介してＰＰＤＵ（ｐｈｙｓｉｃａｌ  ｐｒｏｔｏｃｏｌ  ｄａｔａ  ｕｎｉｔ）を送信することができる。
【０２６７】
そのとき、複数の無線リソースの各々は、周波数軸上で互いに異なる大きさで定義された複数の無線リソース単位の組み合わせである。前述したように、リソース割当組み合わせは、帯域幅の大きさによる全体可用なトーン上で割当可能な少なくとも一つのリソース単位の組み合わせである。そのとき、全体可用なトーンは、前記帯域幅の大きさによる２４２トーンの倍数である。
【０２６８】
帯域幅の大きさが２０ＭＨｚである場合、全体可用なトーンの個数は２４２トーンであり、帯域幅の大きさが４０ＭＨｚである場合、全体可用なトーンの個数は４８４トーンである。
【０２６９】
例えば、前述したように、リソース割当組み合わせは下記の通りである。
【０２７０】
帯域幅の大きさが２０ＭＨｚであり、少なくとも一つのリソース単位のうち第１のリソース単位の大きさが２６トーンである場合、リソース割当組み合わせは、２０ＭＨｚ上で割り当てられる９個の前記第１のリソース単位を含むことができる。
【０２７１】
帯域幅の大きさが２０ＭＨｚであり、少なくとも一つのリソース単位のうち第２のリソース単位の大きさが２４２トーンである場合、リソース割当組み合わせは、２０ＭＨｚ上で割り当てられる１個の前記第２のリソース単位を含むことができる。
【０２７２】
帯域幅の大きさが４０ＭＨｚであり、少なくとも一つの割当可能なリソース単位のうち第３のリソース単位の大きさが４８４トーンである場合、リソース割当組み合わせは、４０ＭＨｚ上で割り当てられる１個の前記第３のリソース単位を含むことができる。
【０２７３】
図１３は、本発明の実施例に係るＵＬ  ＭＵ  ＰＰＤＵの送信を示す概念図である。
【０２７４】
図１３を参照すると、複数のＳＴＡは、ＡＰにＵＬＭＵ  ＯＦＤＭＡに基づいてＵＬ  ＭＵ  ＰＰＤＵを送信することができる。
【０２７５】
Ｌ−ＳＴＦ１３００、Ｌ−ＬＴＦ１３１０、Ｌ−ＳＩＧ１３２０、ＨＥ−ＳＩＧ  Ａ１３３０、ＨＥ−ＳＩＧ  Ｂ１３４０は、図１２で開示された役割を遂行することができる。シグナルフィールド（Ｌ−ＳＩＧ１３２０、ＨＥ−ＳＩＧ  Ａ１３３０、ＨＥ−ＳＩＧ  Ｂ１３４０）に含まれる情報は、受信したＤＬ  ＭＵ  ＰＰＤＵのシグナルフィールドに含まれる情報に基づいて生成されることができる。
【０２７６】
ＳＴＡ１は、ＨＥ−ＳＩＧ  Ｂ１３４０までは全体帯域幅を介してアップリンク送信を実行し、ＨＥ−ＳＴＦ１３５０以後からは割り当てられた帯域幅を介してアップリンク送信を実行することができる。ＳＴＡ１は、割り当てられた帯域幅（例えば、サブバンド１）を介してアップリンクフレームをＵＬ  ＭＵ  ＰＰＤＵに基づいて伝達することができる。
【０２７７】
図１４は、本発明の実施例が適用されることができる無線装置を示すブロック図である。
【０２７８】
図１４を参照すると、無線装置１４００は、前述した実施例を具現することができるＳＴＡであり、ＡＰ１４００または非ＡＰ  ＳＴＡ（ｎｏｎ−ＡＰ  ｓｔａｔｉｏｎ）（または、ＳＴＡ）１４５０である。
【０２７９】
ＡＰ１４００は、プロセッサ１４１０、メモリ１４２０及びＲＦ部（ｒａｄｉｏ  ｆｒｅｑｕｅｎｃｙ  ｕｎｉｔ）１４３０を含む。
【０２８０】
ＲＦ部１４３０は、プロセッサ１４１０と連結して無線信号を送信／受信することができる。
【０２８１】
プロセッサ１４１０は、本発明で提案された機能、過程及び／または方法を具現することができる。例えば、プロセッサ１４１０は、前述した本発明の実施例に係るＡＰの動作を実行するように具現されることができる。プロセッサは、図１乃至図１３の実施例で開示したＡＰの動作を実行することができる。
【０２８２】
例えば、プロセッサ１４１０は、帯域幅上でＳＴＡと通信のための無線リソースをスケジューリングし、無線リソースを介して前記ＳＴＡにダウンリンクデータを送信するように具現されることができる。無線リソースは、帯域幅の大きさによるリソース割当組み合わせに基づいて決定され、リソース割当組み合わせは、前記帯域幅の大きさによる全体可用なトーン上で割当可能な少なくとも一つのリソース単位の組み合わせであり、全体可用なトーンは、前記帯域幅の大きさによる２４２トーンの倍数である。
【０２８３】
帯域幅の大きさが２０ＭＨｚである場合、全体可用なトーンの個数は２４２トーンであり、帯域幅の大きさが４０ＭＨｚである場合、全体可用なトーンの個数は４８４トーンである。
【０２８４】
帯域幅の大きさが２０ＭＨｚであり、少なくとも一つのリソース単位のうち第１のリソース単位の大きさが２６トーンである場合、リソース割当組み合わせは、２０ＭＨｚ上で割り当てられる９個の前記第１のリソース単位を含むことができる。また、帯域幅の大きさが２０ＭＨｚであり、少なくとも一つのリソース単位のうち第２のリソース単位の大きさが２４２トーンである場合、リソース割当組み合わせは、２０ＭＨｚ上で割り当てられる１個の第２のリソース単位を含むことができる。
【０２８５】
帯域幅の大きさが４０ＭＨｚであり、少なくとも一つの割当可能なリソース単位のうち第３のリソース単位の大きさが４８４トーンである場合、リソース割当組み合わせは、４０ＭＨｚ上で割り当てられる１個の前記第３のリソース単位を指示することができる。
【０２８６】
ＳＴＡ１４５０は、プロセッサ１４６０、メモリ１４７０及びＲＦ部（ｒａｄｉｏ  ｆｒｅｑｕｅｎｃｙ  ｕｎｉｔ）１４８０を含む。
【０２８７】
ＲＦ部１４８０は、プロセッサ１４６０と連結して無線信号を送信／受信することができる。
【０２８８】
プロセッサ１４６０は、本発明で提案された機能、過程及び／または方法を具現することができる。例えば、プロセッサ１４６０は、前述した本発明の実施例に係るＳＴＡの動作を実行するように具現されることができる。プロセッサは、図１乃至図１３の実施例でＳＴＡの動作を実行することができる。
【０２８９】
例えば、プロセッサ１４６０は、リソース割当組み合わせに基づいて割り当てられたダウンリンクリソース単位に基づいてダウンリンクデータを受信するように具現されることができる。また、リソース割当組み合わせに基づいて割り当てられたアップリンクリソース単位に基づいてアップリンクデータを送信するように具現されることができる。
【０２９０】
プロセッサ１４１０、１４６０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１４２０、１４７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１４３０、１４８０は、無線信号を送信及び／または受信する一つ以上のアンテナを含むことができる。
【０２９１】
実施例がソフトウェアで具現される時、前述した技法は、前述した機能を遂行するモジュール（過程、機能など）で具現されることができる。モジュールは、メモリ１４２０、１４７０に格納され、プロセッサ１４１０、１４６０により実行されることができる。メモリ１４２０、１４７０は、プロセッサ１４１０、１４６０の内部または外部にあり、よく知られた多様な手段でプロセッサ１４１０、１４６０と連結されることができる。
【図１】
0006282781.tif 000006
【図２】
0006282781.tif 000007
【図３】
0006282781.tif 000008
【図４】
0006282781.tif 000009
【図５】
0006282781.tif 000010
【図６】
0006282781.tif 000011
【図７】
0006282781.tif 000012
【図８】
0006282781.tif 000013
【図９】
0006282781.tif 000014
【図１０】
0006282781.tif 000015
【図１１】
0006282781.tif 000016
【図１２】
0006282781.tif 000017
【図１３】
0006282781.tif 000018
【図１４】
0006282781.tif 000019